(57)【特許請求の範囲】
【請求項１】
マルチキャリアシステムにおいてセカンダリキャリアに対するフィードバック情報を基地局に伝送するための方法であって、前記方法は、
アップリンクチャネル割り当て情報を含むフィードバック割り当てＡ−ＭＡＰ  ＩＥを、前記セカンダリキャリアを通じて前記基地局から受信することと、
前記セカンダリキャリアのダウンリンクおよびアップリンクの両方が活性化される場合、前記アップリンクチャネル割り当て情報に基づいて、前記セカンダリキャリアの第２のアップリンクフィードバックチャネルを介して前記フィードバック情報を前記基地局に送信することと、
前記セカンダリキャリアのダウンリンクのみが活性化される場合、前記アップリンクチャネル割り当て情報に基づいて、プライマリキャリアの第１のアップリンクフィードバックチャネルを介して前記フィードバック情報を前記基地局に伝送することと
を含み、
前記フィードバック情報が送信されるキャリアは、前記セカンダリキャリアのアップリンクが活性化されるか否かに基づいて動的に決定される、方法。
【請求項２】
前記セカンダリキャリアのダウンリンクのみが活性化されることを指示する活性化情報を含むキャリア管理命令メッセージを、前記プライマリキャリアを通じて前記基地局から受信することをさらに含む、請求項１に記載の方法。
【請求項３】
前記活性化情報は、セカンダリキャリアの活性化を指示し、前記セカンダリキャリアのダウンリンクが活性化されるが、前記セカンダリキャリアのアップリンクが活性化されないことを指示する情報である、請求項２に記載の方法。
【請求項４】
前記活性化情報は、セカンダリキャリアの非活性化を指示し、前記セカンダリキャリアのアップリンクが非活性化されるが、前記セカンダリキャリアのダウンリンクが非活性化されないことを指示する情報である、請求項２に記載の方法。
【請求項５】
前記セカンダリキャリアのダウンリンクのみが活性化される場合、一つのアップリンクフィードバックチャネルは、前記プライマリキャリアを介して一つのセカンダリキャリアごとに割り当てられる、請求項１に記載の方法。
【請求項６】
前記プライマリキャリアの第１のアップリンクフィードバックチャネルは、前記プライマリキャリアで伝送されるスーパーフレームヘッダにおいて定義されたアップリンク領域に位置する、請求項１に記載の方法。
【請求項７】
前記セカンダリキャリアは、完全構成されたキャリアである、請求項１に記載の方法。
【請求項８】
前記フィードバック情報は、前記セカンダリキャリアに対する複合自動再伝送要請（ＨＡＲＱ  ＡＣＫ／ＮＡＣＫ）またはＣＩＮＲ（ｃａｒｒｉｅｒ  ｔｏ  ｉｎｔｅｒｆｅｒｅｎｃｅ−ａｎｄ−ｎｏｉｓｅ  ｒａｔｉｏ）である、請求項１に記載の方法。
【請求項９】
前記アップリンクチャネル割り当て情報は、フィードバックチャネルインデックスを含み、前記フィードバックチャネルインデックスは、前記セカンダリキャリアのアップリンクが活性化されるか否かに従って前記第１のアップリンクフィードバックチャネルおよび前記第２のアップリンクフィードバックチャネルのうちの一つを指示する、請求項１に記載の方法。
【請求項１０】
マルチキャリアシステムにおいてキャリアのダウンリンクでフィードバック情報を基地局に伝送するための端末であって、前記端末は、
メモリと、
外部へ、および／または外部から無線信号を送受信するように構成された無線周波数部と、
制御部であって、前記制御部は、
アップリンクチャネル割り当て情報を含むフィードバック割り当てＡ−ＭＡＰ  ＩＥを、セカンダリキャリアを通じて前記基地局から受信することと、
前記セカンダリキャリアのダウンリンクおよびアップリンクの両方が活性化される場合、前記アップリンクチャネル割り当て情報に基づいて、前記セカンダリキャリアの第１のアップリンクフィードバックチャネルを介して前記フィードバック情報を前記基地局に送信することと、
前記セカンダリキャリアのダウンリンクのみが活性化される場合、前記アップリンクチャネル割り当て情報に基づいて、プライマリキャリアの第２のアップリンクフィードバックチャネルを介して前記フィードバック情報を前記基地局に伝送することと
を行うように構成されている、制御部と
を含み、
前記フィードバック情報が送信されるキャリアは、前記セカンダリキャリアのアップリンクが活性化されるか否かに基づいて動的に決定される、端末。
【請求項１１】
前記制御部は、前記セカンダリキャリアのダウンリンクのみが活性化されることを指示する活性化情報を含むキャリア管理命令メッセージを、前記プライマリキャリアを通じて前記基地局から受信するように前記無線周波数部を制御する、請求項１０に記載の端末。
【請求項１２】
前記活性化情報は、セカンダリキャリアの活性化を指示し、前記セカンダリキャリアのダウンリンクが活性化されるが、前記セカンダリキャリアのアップリンクが活性化されないことを指示する情報である、請求項１１に記載の端末。
【請求項１３】
前記活性化情報は、セカンダリキャリアの非活性化を指示し、前記セカンダリキャリアのアップリンクが非活性化されるが、前記セカンダリキャリアのダウンリンクが非活性化されないことを指示する情報である、請求項１１に記載の端末。
【請求項１４】
前記セカンダリキャリアのダウンリンクのみが活性化される場合、一つのアップリンクフィードバックチャネルは、前記プライマリキャリアを介して一つのセカンダリキャリアごとに割り当てられる、請求項１０に記載の端末。
【請求項１５】
前記プライマリキャリアの第２のアップリンクフィードバックチャネルは、前記プライマリキャリアで伝送されるスーパーフレームヘッダにおいて定義されたアップリンク領域に位置する、請求項１０に記載の端末。
【請求項１６】
前記セカンダリキャリアは、完全構成されたキャリアである、請求項１０に記載の端末。
【請求項１７】
前記フィードバック情報は、前記セカンダリキャリアに対する複合自動再伝送要請（ＨＡＲＱ  ＡＣＫ／ＮＡＣＫ）またはＣＩＮＲ（ｃａｒｒｉｅｒ  ｔｏ  ｉｎｔｅｒｆｅｒｅｎｃｅ−ａｎｄ−ｎｏｉｓｅ  ｒａｔｉｏ）である、請求項１０に記載の端末。
【請求項１８】
前記アップリンクチャネル割り当て情報は、フィードバックチャネルインデックスを含み、前記フィードバックチャネルインデックスは、前記セカンダリキャリアのアップリンクが活性化されるか否かに従って前記第１のアップリンクフィードバックチャネルおよび前記第２のアップリンクフィードバックチャネルのうちの一つを指示する、請求項１０に記載の端末。
【請求項１９】
前記フィードバック割り当てＡ−ＭＡＰ  ＩＥに含まれるアップリンクチャネル割り当て情報は、前記セカンダリキャリアのアップリンクが活性化されるかに従って異なって解釈される、請求項１に記載の方法。
【請求項２０】
前記フィードバック割り当てＡ−ＭＡＰ  ＩＥに含まれるアップリンクチャネル割り当て情報は、前記セカンダリキャリアのアップリンクが活性化されるかに従って異なって解釈される、請求項１０に記載の端末。
【発明の詳細な説明】
【技術分野】
【０００１】
本明細書は、マルチキャリアシステムに係り、特に、セカンダリキャリアのダウンリンクに対するフィードバック情報をアップリンクフィードバックチャネルを通じて伝送するための方法及び装置に関する。
【背景技術】
【０００２】
以下で、キャリア（Ｃａｒｒｉｅｒ）について簡略に説明する。
【０００３】
ユーザーは、正弦波または周期的なパルス波の振幅、周波数及び／又は位相などに変調操作を行って、伝送しようとする情報を含むことができる。このとき、情報を運ぶ役割を果たす正弦波またはパルス波をキャリアと呼ぶ。
【０００４】
キャリアを変調する方式には、シングルキャリア変調方式（ＳＣＭ：Ｓｉｎｇｌｅ−Ｃａｒｒｉｅｒ  Ｍｏｄｕｌａｔｉｏｎ  ｓｃｈｅｍｅ）またはマルチキャリア（ＭＣＭ：Ｍｕｌｔｉ−Ｃａｒｒｉｅｒ  Ｍｏｄｕｌａｔｉｏｎ  ｓｃｈｅｍｅ）変調方式がある。このうちシングルキャリア変調方式は、一つのキャリアに全ての情報を載せて変調する方式である。
【０００５】
マルチキャリア変調方式は、一つのキャリアの全体帯域幅チャネル（Ｃｈａｎｎｅｌ）を、多数の小さい帯域幅を有する副チャネル（Ｓｕｂ−ｃｈａｎｎｅｌ）に分割し、多数の狭帯域副キャリア（Ｓｕｂ−Ｃａｒｒｉｅｒ）を各副チャネルを通じて多重で伝送する技術のことをいう。
【０００６】
このとき、マルチキャリア変調方式（ＭＣＭ）を用いる場合、各副チャネルは、小さい帯域幅によって平坦な特性（Ｆｌａｔ  Ｃｈａｎｎｅｌ）に近似化され得る。また、ユーザーは、簡単な等化器を用いてチャネルの歪みを補償することができる。また、マルチキャリア変調方式は、高速フーリエ変換（ＦＦＴ）を用いて高速具現が可能である。すなわち、シングルキャリア変調方式（ＳＣＭ）に比べて高速のデータ伝送に有利である。
【０００７】
基地局及び／又は端末機の性能が発展するにつれて、基地局及び／又は端末機で提供したり、または使用可能な周波数帯域幅は拡大している。したがって、本発明の各実施例では、一つ以上のキャリアを束ねて使用する（Ｃａｒｒｉｅｒ  Ａｇｇｒｅｇａｔｉｏｎ）ことによって広帯域をサポートするマルチキャリアシステムを開示している。
【０００８】
すなわち、以下で説明するマルチキャリアシステムは、上述した一つのキャリアを分けて使用するマルチキャリア変調方式とは異なり、一つ以上のキャリアを束ねて使用する場合を示す。
【０００９】
多重帯域（Ｍｕｌｔｉ−Ｂａｎｄ；または、マルチキャリア（Ｍｕｌｔｉ−Ｃａｒｒｉｅｒ））を効率的に使用するために、多数のキャリア（例えば、多数の周波数キャリア（ＦＣ：Ｆｒｅｑｕｅｎｃｙ  Ｃａｒｒｉｅｒ））を一つの媒体接続制御（ＭＡＣ）エンティティが管理する技術が提案されてきた。
【００１０】
図１の（ａ）及び（ｂ）は、多重帯域無線周波数（ＲＦ：Ｒａｄｉｏ  Ｆｒｅｑｕｅｎｃｙ）基盤の信号送受信方法を説明するための図である。
【００１１】
図１において、送信端及び受信端において、一つの媒体接続制御層は、マルチキャリアを効率的に使用するために多数のキャリアを管理することができる。このとき、マルチキャリアを効果的に送受信するために、送信端及び受信端はいずれもマルチキャリアを送受信できると仮定する。このとき、一つの媒体接続制御層で管理される周波数キャリア（ＦＣ：Ｆｒｅｑｕｅｎｃｙ  Ｃａｒｒｉｅｒ）は互いに隣接する必要がないので、リソース管理面において柔軟である。すなわち、隣接キャリア集合（Ｃｏｎｔｉｇｕｏｕｓ  Ａｇｇｒｅｇａｔｉｏｎ）または不隣接キャリア集合（Ｎｏｎ−ｃｏｎｔｉｇｕｏｕｓ  Ａｇｇｒｅｇａｔｉｏｎ）がいずれも可能である。
【００１２】
図１の（ａ）及び（ｂ）において、物理層（ＰＨＹ）０、物理層１、…、物理層ｎ−２、物理層ｎ−１は、本技術に係る多重帯域を示し、それぞれの帯域は、予め定められた周波数政策によって特定サービスのために割り当てる周波数キャリア（ＦＣ）の大きさを有することができる。例えば、物理層０（ＲＦ  ｃａｒｒｉｅｒ  ０）は、一般のＦＭラジオ放送のために割り当てる周波数帯域の大きさを有することができ、物理層１（ＲＦ  ｃａｒｒｉｅｒ  １）は、携帯電話通信のために割り当てる周波数帯域の大きさを有することができる。
【００１３】
このように、それぞれの周波数帯域はそれぞれの周波数帯域の特性によって互いに異なる周波数帯域の大きさを有することができるが、以下の説明では、説明の便宜上、各周波数キャリア（ＦＣ）はＡ［ＭＨｚ］の大きさを有すると仮定する。また、それぞれの周波数割り当て帯域は、基底帯域信号を各周波数帯域で用いるためのキャリア周波数に代表され得るので、以下では、各周波数割り当て帯域を“キャリア周波数帯域”、又は、混同がない場合、単に、各キャリア周波数帯域を代表する“キャリア”と呼ぶことにする。
【００１４】
また、最近、３ＧＰＰ  ＬＴＥ−Ａでのように、上述したキャリアをマルチキャリア方式で用いられるサブキャリア（ｓｕｂ  ｃａｒｒｉｅｒ）と区分するために、“成分キャリア（ｃｏｍｐｏｎｅｎｔ  ｃａｒｒｉｅｒ）”と呼ぶことができる。
【００１５】
このような面から、上述した“多重帯域”方式は、“多重キャリア”方式または“キャリア集合（ｃａｒｒｉｅｒ  Ａｇｇｒｅｇａｔｉｏｎ）”方式と呼ぶこともできる。
【００１６】
図２は、一般的な無線通信システムで多重搬送波が用いられる形態の一例を示す。
【００１７】
図２の（ａ）を参照すると、一般的な技術での多重搬送波は、連続する搬送波の集合（ｃｏｎｔｉｇｕｏｕｓ  ｃａｒｒｉｅｒ  Ａｇｇｒｅｇａｔｉｏｎ）であってもよく、図２の（ｂ）のように、不連続的な搬送波の集合（ｎｏｎ−ｃｏｎｔｉｇｕｏｕｓ  ｃａｒｒｉｅｒ  Ａｇｇｒｅｇａｔｉｏｎ）であってもよい。これらの搬送波を結合する単位は、一般的な技術であるレガシーシステム（例えば、ＬＴＥ（Ｌｏｎｇ  Ｔｅｒｍ  Ｅｖｏｌｕｔｉｏｎ）−ａｄｖａｎｃｅｄシステムの場合はＬＴＥ、ＩＥＥＥ  ８０２．１６ｍシステムの場合はＩＥＥＥ  ８０２．１６ｅ）の基本帯域幅単位である。
【００１８】
一般的な技術の多重搬送波環境では、次のような２つのタイプの搬送波を定義する。
【００１９】
まず、第１の搬送波（又はプライマリキャリア、ｐｒｉｍａｒｙ  ｃａｒｒｉｅｒ）は、端末と基地局のトラフィック、完全な物理層及び媒体接続制御層制御情報（ｆｕｌｌ  ＰＨＹ／ＭＡＣ  ｃｏｎｔｒｏｌ  ｉｎｆｏｒｍａｔｉｏｎ）の交換が行われる搬送波をいう。また、主搬送波は、ネットワーク進入のような端末の一般的な動作にも使用可能である。各端末は、一つのセルで一つの主搬送波を有する。
【００２０】
そして、第２の搬送波（又はセカンダリキャリア、ｓｅｃｏｎｄａｒｙ  ｃａｒｒｉｅｅｒ）は、通常、第１の搬送波から受信される基地局特定の割り当て命令と法則によるトラフィックの交換に使用可能な付加的な搬送波をいう。第２の搬送波は、マルチキャリア動作をサポートするための制御シグナリングを含むことができる。
【００２１】
一般的な技術は、上述したプライマリ及びセカンダリキャリアに基づいて、多重搬送波（ｍｕｌｔｉ−ｃａｒｒｉｅｒ）システムの搬送波を、次のようにＦｕｌｌｙ  ｃｏｎｆｉｇｕｒｅｄ  ｃａｒｒｉｅｒとＰａｒｔｉａｌｌｙ  ｃｏｎｆｉｇｕｒｅｄ  ｃａｒｒｉｅｒとに区分することができる。
【００２２】
Ｆｕｌｌｙ  ｃｏｎｆｉｇｕｒｅｄ  ｃａｒｒｉｅｒは、制御シグナリングが設定される搬送波をいう。また、多重搬送波運用と他の搬送波に関する情報及びパラメータが前記制御チャネルに含まれることができる。
【００２３】
Ｐａｒｔｉａｌｌｙ  ｃｏｎｆｉｇｕｒｅｄ  ｃａｒｒｉｅｒは、時分割二重化ダウンリンク伝送（ＴＤＤ  ＤＬ  ｔｒａｎｓｍｉｓｓｉｏｎ）または周波数分割二重化（ＦＤＤ）モードで対をなすアップリンクキャリアのないダウンリンクキャリアでダウンリンク伝送をサポートするための全ての制御チャンネルが設定されるキャリアをいう。
【００２４】
一般に、端末は、プライマリキャリアを通じてネットワーク初期進入（ｉｎｉｔｉａｌ  ｎｅｔｗｏｒｋ  ｅｎｔｒｙ）を行い、基地局との登録要請／応答（ＡＡＩ＿ＲＥＧ−ＲＥＱ／ＲＳＰ）メッセージ交換を通じた登録過程で互いのマルチキャリア能力に関する情報を交換することができる。
【００２５】
現在、従来技術のＭＣ  ｏｐｅｒａｔｉｏｎでは、ａｃｔｉｖａｔｅｄ  ＤＬ  ｃａｒｒｉｅｒに対するｆｅｅｄｂａｃｋ  ｃｈａｎｎｅｌ  ａｌｌｏｃａｔｉｏｎ（ＨＡＲＱ  ＡＣＫ／ＮＡＣＫ、ＣＩＮＲ）方法について定義されていない。
【００２６】
ＤＬ／ＵＬがいずれもａｃｔｉｖｅ状態にあるｃａｒｒｉｅｒである場合は、該当のｃａｒｒｉｅｒのＤＬ  Ａ−ＭＡＰを通じて伝送されるｆｅｅｄｂａｃｋ  ａｌｌｏｃａｔｉｏｎ  Ａ−ＭＡＰ  ＩＥを通じてＵＬ  ｆａｓｔｆｅｅｄｂａｃｋ  ｃｈａｎｎｅｌが割り当てられると、該当のｃａｒｒｉｅｒのＵＬ  ｆｅｅｄｂａｃｋ  ｃｈａｎｎｅｌを通じて該当のｆｅｅｄｂａｃｋ情報を伝送することができる。しかし、現在のＩＥＥＥ  ８０２．１６ｍのような標準で定義するＭＣ  ｏｐｅｒａｔｉｏｎのｓｅｃｏｎｄａｒｙ  ｃａｒｒｉｅｒは、ＤＬ  ｏｎｌｙ  ａｃｔｉｖａｔｉｏｎが可能であるため、ＤＬ  ｏｎｌｙ  ａｃｔｉｖａｔｅｄ  ｃａｒｒｉｅｒの場合、ＵＬ  ｃｏｎｔｒｏｌ  ｃｈａｎｎｅｌを使用できない。
【００２７】
したがって、ＩＥＥＥ  ８０２．１６ｍのような標準は、ｍｕｌｔｉｃａｒｒｉｅｒ  ｍｏｄｅ（例えば、Ｂａｓｉｃ  ＭＣ  ｍｏｄｅ、ｃａｒｒｉｅｒ  Ａｇｇｒｅｇａｔｉｏｎ  ｍｏｄｅ、ｃａｒｒｉｅｒ  ｓｗｉｔｃｈｉｎｇ  ｍｏｄｅ）にある端末が、ＤＬ  ｏｎｌｙ  ａｃｔｉｖａｔｅｄ  ｃａｒｒｉｅｒを通じてｄａｔａを送受信している場合、ＤＬ  ｄａｔａのためのＵＬ  ｆｅｅｄｂａｃｋ情報（例えば、ＣＱＩ  ｆｅｅｄｂａｃｋ、ＭＩＭＯ  ｆｅｅｄｂａｃｋ  ｏｒ  ＨＡＲＱ  ＡＣＫ／ＮＡＣＫ  ｆｅｅｄｂａｃｋなど）を伝送するためのＦｅｅｄｂａｃｋ  ｃｈａｎｎｅｌが、どのｃａｒｒｉｅｒのＵＬ  ｃｏｎｔｒｏｌ  ｃｈａｎｎｅｌ上に割り当てられなければならないのかに関する定義が必要である。
【００２８】
また、ｎｅｔｗｏｒｋ  （ｒｅ）ｅｎｔｒｙ時に基地局から端末に割り当てられたａｓｓｉｇｎｅｄ  ｓｅｃｏｎｄａｒｙ  ｃａｒｒｉｅｒ（ｓ）が互いに異なるｃｏｖｅｒａｇｅを有する場合、ｉｎａｃｔｉｖｅ  ｃａｒｒｉｅｒ（ｓ）のチャネル状態を知らない基地局が、任意のｉｎａｃｔｉｖｅ  ｃａｒｒｉｅｒをａｃｔｉｖａｔｉｏｎするように指示すれば、該当のｃａｒｒｉｅｒが、既存のａｃｔｉｖａｔｅｄ  ｃａｒｒｉｅｒよりもｓｍａｌｌｅｒ  ｃｏｖｅｒａｇｅを有し、端末がこのｃｏｖｅｒａｇｅにない場合、このｃａｒｒｉｅｒのａｃｔｉｖａｔｉｏｎは失敗することがある。
【００２９】
このような理由で、任意のｓｅｃｏｎｄａｒｙ  ｃａｒｒｉｅｒに対するＣＩＮＲまたはＣＱＩのようなＤＬ  ｃａｒｒｉｅｒに対するＦｅｅｄｂａｃｋは、ａｃｔｉｖｅ  ｃａｒｒｉｅｒだけでなく、特定ｉｎａｃｔｉｖｅ  ｃａｒｒｉｅｒに対しても伝送できるようにする必要がある。
【発明の概要】
【発明が解決しようとする課題】
【００３０】
本明細書は、マルチキャリアシステムにおいて、ダウンリンクのみが活性化されたセカンダリキャリアのアップリンクフィードバック情報を、プライマリキャリアのアップリンクフィードバックチャネルを通じて伝送する方法を提供することに目的がある。
【００３１】
また、本明細書は、ダウンリンクのみが活性化されたセカンダリキャリアのアップリンクフィードバック情報を、Ｆｅｅｄｂａｃｋ  Ａｌｌｏｃａｔｉｏｎ  Ａ−ＭＡＰ  ＩＥのＣａｒｒｉｅｒ  Ｉｎｄｉｃａｔｉｏｎフィールドを用いて伝送する方法を提供することに目的がある。
【００３２】
また、本明細書は、ダウンリンクのみが活性化されたセカンダリキャリアのアップリンクフィードバック情報を、Ｆｅｅｄｂａｃｋ  Ｃａｒｒｉｅｒ  Ｉｎｄｅｘフィールドを用いて伝送する方法を提供することに目的がある。
【課題を解決するための手段】
【００３３】
本明細書は、マルチキャリアシステムで、キャリアのダウンリンクに対するフィードバック情報を基地局に伝送するための方法において、アップリンクフィードバック割り当て情報を含む第１のメッセージを、セカンダリキャリア（ｓｅｃｏｎｄａｒｙ  ｃａｒｒｉｅｒ）を通じて前記基地局から受信するステップと、前記セカンダリキャリアがダウンリンクのみが活性化されたキャリアである場合、前記セカンダリキャリアに対するアップリンクフィードバック情報を、プライマリキャリア（ｐｒｉｍａｒｙ  ｃａｒｒｉｅｒ）の割り当てられたアップリンクフィードバックチャネルを通じて前記基地局に伝送するステップと、を含んでなる。
【００３４】
また、前記セカンダリキャリアのダウンリンクのみが活性化されるように指示する活性化情報を含むキャリア運営命令メッセージを、前記プライマリキャリアを通じて前記基地局から受信するステップと、前記活性化情報によって、前記セカンダリキャリアのダウンリンクのみ活性化させるステップとをさらに含んでなることを特徴とする。
【００３５】
また、前記活性化情報は、セカンダリキャリアの活性化を指示するが、前記セカンダリキャリアのダウンリンクは活性化し、アップリンクは活性化しないように指示する情報であることを特徴とする。
【００３６】
また、前記活性化情報は、セカンダリキャリアの非活性化を指示するが、前記セカンダリキャリアのアップリンクは非活性化し、ダウンリンクは非活性化しないように指示する情報であることを特徴とする。
【００３７】
また、前記プライマリキャリアの割り当てられたアップリンクフィードバックチャネルは、一つのセカンダリキャリアごとに一つのアップリンクフィードバックチャネルが割り当てられることを特徴とする。
【００３８】
また、前記プライマリキャリアのアップリンクフィードバックチャネルは、前記プライマリキャリアを通じて伝送されるスーパーフレームヘッダで定義されたアップリンク領域に位置することを特徴とする。
【００３９】
また、前記第１のメッセージは、フィードバック割り当てマップ情報要素（Ｆｅｅｄｂａｃｋ  Ａｌｌｏｃａｔｉｏｎ  Ａ−ＭＡＰ  ＩＥ）であることを特徴とする。
【００４０】
また、前記セカンダリキャリアは、完全構成されたキャリア（ｆｕｌｌｙ  ｃｏｎｆｉｇｕｒｅｄ  ｃａｒｒｉｅｒ）であることを特徴とする。
【００４１】
また、前記セカンダリキャリアに対するアップリンクフィードバック情報は、前記セカンダリキャリアに対する複合自動再伝送要請に対する応答（ＨＡＲＱ  ＡＣＫ／ＮＡＣＫ）または信号対雑音比（ＣＩＮＲ）であることを特徴とする。
【００４２】
また、前記受信されたキャリア運営命令メッセージに対する応答として、前記セカンダリキャリアのダウンリンクに対する活性化が準備されたことを知らせるキャリア運営指示メッセージを、前記プライマリキャリアを通じて前記基地局に伝送するステップをさらに含むことを特徴とする。
【００４３】
また、前記アップリンクフィードバック割り当て情報は、フィードバックチャネルインデックスを含み、前記フィードバックチャネルインデックスは、前記プライマリキャリアのアップリンクフィードバックチャネルに対する割り当てであることを特徴とする。
【００４４】
また、本明細書は、マルチキャリアシステムで、キャリアのダウンリンクに対するフィードバック情報を基地局に伝送するための端末において、メモリと、外部と無線信号を送受信するための無線通信部と、アップリンクフィードバック割り当て情報を含む第１のメッセージをセカンダリキャリア（ｓｅｃｏｎｄａｒｙ  ｃａｒｒｉｅｒ）を通じて前記基地局から受信するように前記無線通信部を制御し、前記セカンダリキャリアがダウンリンクのみが活性化されたキャリアである場合、前記セカンダリキャリアに対するアップリンクフィードバック情報を、プライマリキャリア（ｐｒｉｍａｒｙ  ｃａｒｒｉｅｒ）の割り当てられたアップリンクフィードバックチャネルを通じて前記基地局に伝送するように前記無線通信部を制御する制御部と、を含んでなることを特徴とする。
【００４５】
また、前記制御部は、前記セカンダリキャリアのダウンリンクのみが活性化されるように指示する活性化情報を含むキャリア運営命令メッセージを、前記プライマリキャリアを通じて前記基地局から受信するように前記無線通信部を制御し、前記活性化情報によって、前記セカンダリキャリアのダウンリンクのみ活性化させるように制御することを特徴とする。
【００４６】
また、前記制御部は、前記受信されたキャリア運営命令メッセージに対する応答として、前記セカンダリキャリアのダウンリンクに対する活性化が準備されたことを知らせるキャリア運営指示メッセージを、前記プライマリキャリアを通じて前記基地局に伝送するように前記無線通信部を制御することを特徴とする。
例えば、本発明は以下の項目を提供する。
（項目１）
マルチキャリアシステムで、キャリアのダウンリンクに対するフィードバック情報を基地局に伝送するための方法において、
キャリアのアップリンクフィードバック割り当て情報を含む第１のメッセージを、セカンダリキャリア（ｓｅｃｏｎｄａｒｙ  ｃａｒｒｉｅｒ）を通じて前記基地局から受信するステップと、
前記セカンダリキャリアに対するアップリンクフィードバック情報を、プライマリキャリア（ｐｒｉｍａｒｙ  ｃａｒｒｉｅｒ）の割り当てられたアップリンクフィードバックチャネルを通じて前記基地局に伝送するステップと、を含み、
前記セカンダリキャリアは、ダウンリンクのみが活性化されたキャリアであることを特徴とする方法。
（項目２）
前記セカンダリキャリアのダウンリンクのみが活性化されるように指示する活性化情報を含むキャリア運営命令メッセージを、前記プライマリキャリアを通じて前記基地局から受信するステップと、
前記活性化情報によって、前記セカンダリキャリアのダウンリンクのみ活性化させるステップとをさらに含んでなることを特徴とする、項目１に記載の方法。
（項目３）
前記活性化情報は、セカンダリキャリアの活性化を指示するが、前記セカンダリキャリアのダウンリンクは活性化し、アップリンクは活性化しないように指示する情報であることを特徴とする、項目２に記載の方法。
（項目４）
前記活性化情報は、セカンダリキャリアの非活性化を指示するが、前記セカンダリキャリアのアップリンクは非活性化し、ダウンリンクは非活性化しないように指示する情報であることを特徴とする、項目２に記載の方法。
（項目５）
前記プライマリキャリアの割り当てられたアップリンクフィードバックチャネルは、一つのセカンダリキャリアごとに一つのアップリンクフィードバックチャネルが割り当てられることを特徴とする、項目１に記載の方法。
（項目６）
前記プライマリキャリアのアップリンクフィードバックチャネルは、前記プライマリキャリアを通じて伝送されるスーパーフレームヘッダで定義されたアップリンク領域に位置することを特徴とする、項目１に記載の方法。
（項目７）
前記第１のメッセージは、フィードバック割り当てマップ情報要素（Ｆｅｅｄｂａｃｋ
Ａｌｌｏｃａｔｉｏｎ  Ａ−ＭＡＰ  ＩＥ）であることを特徴とする、項目１に記載の方法。
（項目８）
前記セカンダリキャリアは、完全構成されたキャリア（ｆｕｌｌｙ  ｃｏｎｆｉｇｕｒｅｄ  ｃａｒｒｉｅｒ）であることを特徴とする、項目１に記載の方法。
（項目９）
前記セカンダリキャリアに対するアップリンクフィードバック情報は、前記セカンダリキャリアに対する複合自動再伝送要請に対する応答（ＨＡＲＱ  ＡＣＫ／ＮＡＣＫ）または信号対雑音比（ＣＩＮＲ）であることを特徴とする、項目１に記載の方法。
（項目１０）
前記受信されたキャリア運営命令メッセージに対する応答として、前記セカンダリキャリアのダウンリンクに対する活性化が準備されたことを知らせるキャリア運営指示メッセージを、前記プライマリキャリアを通じて前記基地局に伝送するステップをさらに含むことを特徴とする、項目２に記載の方法。
（項目１１）
前記アップリンクフィードバック割り当て情報は、フィードバックチャネルインデックスを含み、前記フィードバックチャネルインデックスは、前記プライマリキャリアのアップリンクフィードバックチャネルに対する割り当てであることを特徴とする、項目１に記載の方法。
（項目１２）
マルチキャリアシステムで、キャリアのダウンリンクに対するフィードバック情報を基地局に伝送するための端末において、
メモリと、
外部と無線信号を送受信するための無線通信部と、
アップリンクフィードバック割り当て情報を含む第１のメッセージをセカンダリキャリア（ｓｅｃｏｎｄａｒｙ  ｃａｒｒｉｅｒ）を通じて前記基地局から受信するように前記無線通信部を制御し、
前記セカンダリキャリアに対するアップリンクフィードバック情報を、プライマリキャリア（ｐｒｉｍａｒｙ  ｃａｒｒｉｅｒ）の割り当てられたアップリンクフィードバックチャネルを通じて前記基地局に伝送するように前記無線通信部を制御する制御部と、を含み、
前記セカンダリキャリアは、ダウンリンクのみが活性化されたキャリアであることを特徴とする端末。
（項目１３）
前記制御部は、
前記セカンダリキャリアのダウンリンクのみが活性化されるように指示する活性化情報を含むキャリア運営命令メッセージを、前記プライマリキャリアを通じて前記基地局から受信するように前記無線通信部を制御し、
前記活性化情報によって、前記セカンダリキャリアのダウンリンクのみ活性化させるように制御することを特徴とする、項目１２に記載の端末。
（項目１４）
前記活性化情報は、セカンダリキャリアの活性化を指示するが、前記セカンダリキャリアのダウンリンクは活性化し、アップリンクは活性化しないように指示する情報であることを特徴とする、項目１３に記載の端末。
（項目１５）
前記活性化情報は、セカンダリキャリアの非活性化を指示するが、前記セカンダリキャリアのアップリンクは非活性化し、ダウンリンクは非活性化しないように指示する情報であることを特徴とする、項目１３に記載の端末  。
（項目１６）
前記プライマリキャリアの割り当てられたアップリンクフィードバックチャネルは、一つのセカンダリキャリアごとに一つのアップリンクフィードバックチャネルが割り当てられることを特徴とする、項目１２に記載の端末。
（項目１７）
前記プライマリキャリアのアップリンクフィードバックチャネルは、前記プライマリキャリアを通じて伝送されるスーパーフレームヘッダで定義されたアップリンク領域に位置することを特徴とする、項目１２に記載の端末。
（項目１８）
前記第１のメッセージは、フィードバック割り当てマップ情報要素（Ｆｅｅｄｂａｃｋ
Ａｌｌｏｃａｔｉｏｎ  Ａ−ＭＡＰ  ＩＥ）であることを特徴とする、項目１２に記載の端末。
（項目１９）
前記セカンダリキャリアは、完全構成されたキャリア（ｆｕｌｌｙ  ｃｏｎｆｉｇｕｒｅｄ  ｃａｒｒｉｅｒ）であることを特徴とする、項目１２に記載の端末。
（項目２０）
前記セカンダリキャリアに対するアップリンクフィードバック情報は、前記セカンダリキャリアに対する複合自動再伝送要請に対する応答（ＨＡＲＱ  ＡＣＫ／ＮＡＣＫ）または信号対雑音比（ＣＩＮＲ）であることを特徴とする、項目１２に記載の端末。
（項目２１）
前記制御部は、
前記受信されたキャリア運営命令メッセージに対する応答として、前記セカンダリキャリアのダウンリンクに対する活性化が準備されたことを知らせるキャリア運営指示メッセージを、前記プライマリキャリアを通じて前記基地局に伝送するように前記無線通信部を制御することを特徴とする、項目１３に記載の端末。
（項目２２）
前記アップリンクフィードバック割り当て情報は、フィードバックチャネルインデックスを含み、前記フィードバックチャネルインデックスは、前記プライマリキャリアのアップリンクフィードバックチャネルに対する割り当てであることを特徴とする、項目１２に記載の端末。
【発明の効果】
【００４７】
本明細書は、マルチキャリアシステムにおいてダウンリンクのみが活性化されたキャリア（ＤＬ  ｏｎｌｙ  ａｃｔｉｖａｔｅｄ  ｃａｒｒｉｅｒ）である場合にのみＦｅｅｄｂａｃｋ  Ｃａｒｒｉｅｒ  Ｉｎｄｅｘを伝送することによって、既存のＦｅｅｄｂａｃｋ  Ｃｈａｎｎｅｌ  Ａｌｌｏｃａｔｉｏｎ過程をそのまま使用することができる効果がある。
【００４８】
また、最小化されたシグナリングオーバーヘッドでＵＬ  ｃａｒｒｉｅｒをｍａｐｐｉｎｇすることができるだけでなく、ＤＬ  ｏｎｌｙ  ａｃｔｉｖａｔｅｄ  ｃａｒｒｉｅｒである場合、ｐｒｉｍａｒｙ  ｃａｒｒｉｅｒのみで伝送される可能性があったＵＬ  Ｆｅｅｄｂａｃｋ  ｃｈａｎｎｅｌのｌｏａｄ  ｂａｌａｎｃｉｎｇに効率的である。
【００４９】
また、本明細書は、ｉｎａｃｔｉｖｅ  ｃａｒｒｉｅｒに対するＤＬ  ＣＩＮＲ  ｒｅｐｏｒｔを可能にすることによって、既存のａｃｔｉｖａｔｅｄ  ｃａｒｒｉｅｒよりもカバレージの小さいｉｎａｃｔｉｖｅ  ｃａｒｒｉｅｒに対して基地局がａｃｔｉｖａｔｉｏｎを指示しないことによって、ｃａｒｒｉｅｒのａｃｔｉｖａｔｉｏｎ失敗を防止することができる。
【図面の簡単な説明】
【００５０】
【図１】多重帯域無線周波数（ＲＦ：Ｒａｄｉｏ  Ｆｒｅｑｕｅｎｃｙ）基盤の信号送受信方法を説明するための図である。
【図２】（ａ）は、一般的な無線通信システムにおいて連続する搬送波の集合（ｃｏｎｔｉｇｕｏｕｓ  ｃａｒｒｉｅｒ  ａｇｇｒｅｇａｔｉｏｎ）形態を示し、（ｂ）は、一般的な無線通信システムにおいて不連続的な搬送波の集合（ｎｏｎ−ｃｏｎｔｉｇｕｏｕｓ  ｃａｒｒｉｅｒ  ａｇｇｒｅｇａｔｉｏｎ）形態を示す図である。
【図３】広帯域無線接続システムで基地局がキャリア管理（運営）メッセージ（ＡＡＩ＿ＣＭ−ＣＭＤ  ｍｅｓｓａｇｅ）を通じて、端末に一つ以上のキャリアを割り当てる手順の一例を説明するための図である。
【図４】本明細書の一実施例に係る特定ｓｅｃｏｎｄａｒｙ  ｃａｒｒｉｅｒのＤＬ／ＵＬ両方とも活性化を指示するＣＭ−ＣＭＤメッセージを受信した場合、前記ＤＬ／ＵＬがいずれも活性化されたｓｅｃｏｎｄａｒｙ  ｃａｒｒｉｅｒのダウンリンクに対するｆｅｅｄｂａｃｋ情報の伝送方法を示す図である。
【図５】本明細書の一実施例に係るＤＬ／ＵＬがいずれも活性化されたｓｅｃｏｎｄａｒｙ  ｃａｒｒｉｅｒがＣＭ−ＣＭＤメッセージによってＤＬ  ｏｎｌｙ  ａｃｔｉｖａｔｅｄ  ｃａｒｒｉｅｒとなった場合、前記ＤＬ  ｏｎｌｙ  ａｃｔｉｖａｔｅｄ  ｃａｒｒｉｅｒのダウンリンクフィードバック情報の伝送方法を示す図である。
【図６】本明細書の一実施例に係るＤＬ  ｏｎｌｙ  ａｃｔｉｖａｔｅｄ  ｃａｒｒｉｅｒのダウンリンクフィードバック情報の伝送方法を示す図である。
【図７Ａ】本明細書の第２実施例に係るｃａｒｒｉｅｒ  ｉｎｄｉｃａｔｉｏｎフィールドが‘１’に設定された場合、ｐｒｉｍａｒｙ  ｃａｒｒｉｅｒを通じてｆｅｅｄｂａｃｋ情報を伝送する方法を示す図である。
【図７Ｂ】ｃａｒｒｉｅｒ  ｉｎｄｉｃａｔｉｏｎフィールドが‘０’に設定された場合、該当のｓｅｃｏｎｄａｒｙ  ｃａｒｒｉｅｒを通じてｆｅｅｄｂａｃｋ情報を伝送する方法を示す図である。
【図８】本明細書の第３実施例の第１の方法によるｓｅｃｏｎｄａｒｙ  ｃａｒｒｉｅｒのダウンリンクフィードバック情報を伝送する方法を示す図である。
【図９】本明細書の第３実施例の第２の方法によるｓｅｃｏｎｄａｒｙ  ｃａｒｒｉｅｒのダウンリンクフィードバック情報を伝送する方法を示す図である。
【図１０】本明細書の第３実施例の第３の方法によるｓｅｃｏｎｄａｒｙ  ｃａｒｒｉｅｒのダウンリンクフィードバック情報を伝送する方法を示す図である。
【図１１】本明細書の一実施例に係る無線通信システムを示すブロック図である。
【発明を実施するための形態】
【００５１】
以下、本明細書に係る実施例を添付の図面を参照して詳細に説明する。下記の説明では、本明細書による動作を理解するのに必要な部分のみが説明され、その他の部分の説明は、本明細書の要旨を不明瞭にしないために省略されるということに留意されたい。
【００５２】
以下の各実施例は、本明細書の構成要素と特徴を所定形態で結合したものである。各構成要素又は特徴は、別途の明示的な言及がない限り、選択的なものとして考慮しなければならない。各構成要素又は特徴は、他の構成要素や特徴と結合されない形態で実施することができる。また、一部の構成要素及び／又は特徴を結合して本明細書の実施例を構成してもよい。本明細書の各実施例で説明される各動作の順序は変更可能である。ある実施例の一部構成や特徴は、他の実施例に含まれてもよく、または他の実施例の対応する構成又は特徴に代えてもよい。
【００５３】
本明細書での実施例は、基地局と端末間のデータ送受信関係を中心に説明された。ここで、基地局は、端末と直接的に通信を行うネットワークの終端ノード（ｔｅｒｍｉｎａｌ  ｎｏｄｅ）としての意味を有する。本文書で、基地局によって行われると説明される特定動作は、場合によっては、基地局の上位ノードによって行われることもある。
【００５４】
すなわち、基地局を含む多数のネットワークノード（ｎｅｔｗｏｒｋ  ｎｏｄｅｓ）からなるネットワークにおいて、端末との通信のために行われる多様な動作は、基地局または基地局以外の他のネットワークノードによって行うことができるということは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に代えてもよい。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代えてもよい。
【００５５】
本明細書の各実施例は、多様な手段を通じて具現することができる。例えば、本明細書の各実施例は、ハードウェア、ファームウエア（ｆｉｒｍｗａｒｅ）、ソフトウェアまたはそれらの結合などにより具現することができる。
【００５６】
ハードウェアによる具現の場合、本発明の各実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００５７】
ファームウェアやソフトウェアによる具現の場合、本発明の各実施例に係る方法は、以上で説明した機能又は動作を行うモジュール、手順または関数などの形態で具現することができる。ソフトウェアコードは、メモリユニットに格納してプロセッサにより駆動することができる。前記メモリユニットは、前記プロセッサの内部または外部に位置し、既に公知となった多様な手段により前記プロセッサとの間でデータを交換することができる。
【００５８】
以下の説明で用いられる特定用語は、本明細書の理解を助けるために提供されたもので、これらの特定用語の使用は、本発明の技術的思想を逸脱しない範囲で他の形態に変更可能である。
【００５９】
（マルチキャリア動作モード（Ｍｕｌｔｉｃａｒｒｉｅｒ  ｏｐｅｒａｔｉｏｎ  ｍｏｄｅｓ））
１．マルチキャリア集合（Ｍｕｌｔｉｃａｒｒｉｅｒ  Ａｇｇｒｅｇａｔｉｏｎ）
マルチキャリア集合は、端末がｓｅｃｏｎｄａｒｙ  ｃａｒｒｉｅｒを通じてデータ伝送を行う間、端末の物理層接続（ｐｈｙｓｉｃａｌｌａｙｅｒ  ｃｏｎｎｅｃｔｉｏｎ）を維持し、ｐｒｉｍａｒｙ  ｃａｒｒｉｅｒを通じて制御シグナリング（ｃｏｎｔｒｏｌ  ｓｉｇｎａｌｉｎｇ）をモニタリングするマルチキャリアモード（ｍｕｌｔｉｃａｒｒｉｅｒ  ｍｏｄｅ）をいう。
【００６０】
２．マルチキャリアスイッチング（Ｍｕｌｔｉｃａｒｒｉｅｒ  Ｓｗｉｔｃｈｉｎｇ）
マルチキャリアスイッチングは、ｓｅｃｏｎｄａｒｙ  ｃａｒｒｉｅｒを通じてＥ−ＭＢＳサービスを受信するために、基地局の指示によりｐｒｉｍａｒｙ  ｃａｒｒｉｅｒから部分構成された又は完全構成されたｓｅｃｏｎｄａｒｙ  ｃａｒｒｉｅｒに端末の物理層接続（ｐｈｙｓｉｃａｌｌａｙｅｒ  ｃｏｎｎｅｃｔｉｏｎ）をスイッチングするマルチキャリアモードをいう。
【００６１】
３．基本マルチキャリアモード（Ｂａｓｉｃ  ＭＣ  ｍｏｄｅ）
基本マルチキャリアモードは、端末が、マルチキャリア動作に関連するキャリアの最適化されたスキャニングだけでなく、ｐｒｉｍａｒｙ  ｃａｒｒｉｅｒ変更過程をサポートするが、単にｓｉｇｌｅ  ｃａｒｒｉｅｒで動作するモードをいう。
【００６２】
以下、マルチキャリア動作で使用可能な用語を定義する。
【００６３】
１．可用キャリア（Ａｖａｉｌａｂｌｅ  ｃａｒｒｉｅｒ）：可用キャリアは、基地局（ＡＢＳ）に属する全てのキャリアを意味する。端末は、可用キャリアに関する情報をグローバルキャリア設定（ＡＡＩ＿Ｇｌｏｂａｌ−ｃｏｎｆｉｇ）メッセージ又はマルチキャリア公示（ＡＡＩ＿ＭＣ−ＡＤＶ）メッセージを通じて獲得することができる。
【００６４】
２．割り当てキャリア（Ａｓｓｉｇｎｅｄ  ｃａｒｒｉｅｒ）：割り当てキャリアは、端末の能力（ｃａｐａｂｉｌｉｔｙ）によって基地局が端末に割り当てる可用キャリアのサブセット（ｓｕｂｓｅｔ）を意味する。すなわち、基地局は、端末の能力を考慮し、自分の可用キャリアのうち一つ以上を端末の割り当てセカンダリキャリア（Ａｓｓｉｇｎｅｄ  ｓｅｃｏｎｄａｒｙ  ｃａｒｒｉｅｒ）に割り当てることができる。
【００６５】
３．活性キャリア（Ａｃｔｉｖｅ  ｃａｒｒｉｅｒ）：活性キャリアは、端末と基地局との間で実際にデータを交換する準備ができたキャリアを意味し、割り当てキャリアのサブセット（ｓｕｂｓｅｔ）であってもよい。割り当てセカンダリキャリアの活性化／非活性化（ａｃｔｉｖａｔｉｏｎ／ｄｅａｃｔｉｖａｔｉｏｎ）は、サービス品質（ＱｏＳ）要求に基づいた基地局の判断により決定され得る。基地局は、特定セカンダリキャリアに対する活性化又は非活性化を、端末に、キャリア管理（運営）命令（ＡＡＩ＿ＣＭ−ＣＭＤ）メッセージを通じて指示することができる。
【００６６】
上述した定義に基づいて、以下では、基地局が端末にキャリアを割り当てる手順について図３を参照して説明する。
【００６７】
図３は、広帯域無線接続システムにおいて、基地局が、キャリア管理（運営）メッセージ（ＡＡＩ＿ＣＭ−ＣＭＤ  ｍｅｓｓａｇｅ）を通じて、端末に、一つ以上のキャリアを割り当てる手順の一例を説明するための図である。
【００６８】
図３を参照すると、端末（ＡＭＳ）は、基地局（ＡＢＳ）と、スキャニング、レンジングなどの過程を含む初期接続手順（ｉｎｉｔｉａｌ  ｎｅｔｗｏｒｋ  ｅｎｔｒｙ）を行う（Ｓ３０１）。
【００６９】
端末と基地局は、登録要請／応答（ＡＡＩ＿ＲＥＧ−ＲＥＱ／ＲＳＰ）メッセージを通じて相互間のマルチキャリア能力（Ｍｕｌｔｉｃａｒｒｉｅｒ  Ｃａｐａｂｉｌｉｔｉｅｓ）に関する情報を交換することができる（Ｓ３０２、Ｓ３０３）。
【００７０】
基地局は、端末にＡＡＩ＿ＲＥＧ−ＲＳＰメッセージを伝送した後、グローバルキャリア設定（ＡＡＩ＿Ｇｌｏｂａｌ−ｃｏｎｆｉｇ）メッセージを伝送することができる（Ｓ３０４）。
【００７１】
グローバルキャリア設定メッセージには、ネットワークでサポートする全ての可用キャリアに関する情報が含まれる。
【００７２】
また、端末は、基地局から周期的に放送されるマルチキャリア公示（ＡＡＩ＿ＭＣ−ＡＤＶ）メッセージを受信し、基地局のマルチキャリア設定に関する情報を獲得することができる（Ｓ３０５）。
【００７３】
その後、端末は、獲得した情報を用いて基地局の可用キャリアのマルチキャリア設定（ｍｕｌｔｉｃａｒｒｉｅｒ  ｃｏｎｆｉｇｕｒａｔｉｏｎｓ）によって自分がサポート可能なキャリア（ＡＭＳ’ｓ  ｓｕｐｐｏｒｔａｂｌｅ  ｃａｒｒｉｅｒｓ）に関する情報をマルチキャリア要請（ＡＡＩ＿ＭＣ−ＲＥＱ）メッセージを通じて基地局に知らせる方法で、割り当てキャリアのリストを基地局に要請することができる（Ｓ３０６）。
【００７４】
基地局は、端末から受信した情報に基づいて、自分の可用キャリアから端末のセカンダリキャリアに割り当てられるサブセットを決定して、割り当てキャリアリストを決定し、マルチキャリア応答（ＡＡＩ＿ＭＣ−ＲＳＰ）メッセージを通じてこれを端末に知らせることができる（Ｓ３０７）。
【００７５】
その後、基地局は、サービス品質（ＱｏＳ）要求に基づいた判断によって端末に割り当てた割り当てキャリアの活性化又は非活性化を、キャリア管理命令（ＡＡＩ＿ＣＭ−ＣＭＤ）メッセージを通じて端末に指示することができる（Ｓ３０８）。
【００７６】
（セカンダリキャリア活性化及び非活性化（Ｓｅｃｏｎｄａｒｙ  ｃａｒｒｉｅｒ  Ａｃｔｉｖａｔｉｏｎ／Ｄｅ−ａｃｔｉｖａｔｉｏｎ））
第２のキャリア（ｓｅｃｏｎｄａｒｙ  ｃａｒｒｉｅｒ）の活性化又は非活性化は、ＱｏＳ  ｒｅｑｕｉｒｅｍｅｎｔ、キャリアのｌｏａｄ  ｃｏｎｄｉｔｉｏｎ及び他の要素に基づいて決定される。
【００７７】
基地局は、ＡＡＩ＿ＣＭ−ＣＭＤ  ＭＡＣ  ｃｏｎｔｒｏｌ  ｍｅｓｓａｇｅを用いて第２のキャリアを活性化させたり、または非活性化させる。
【００７８】
基地局は、ｐｒｉｍａｒｙ  ｃａｒｒｉｅｒを通じてＡＡＩ＿ＣＭ−ＣＭＤ  ＭＡＣ  ｃｏｎｔｒｏｌ  ｍｅｓｓａｇｅを端末に伝送する。前記ＡＡＩ＿ＣＭ−ＣＭＤ  ＭＡＣ  ｃｏｎｔｒｏｌ  ｍｅｓｓａｇｅには、下記のような情報が含まれる。
【００７９】
（１）Ｉｎｄｉｃａｔｉｏｎ  Ｔｙｐｅ  ｐｅｒ  ＤＬ／ＵＬ：活性化（Ａｃｔｉｖａｔｉｏｎ）、非活性化（Ｄｅａｃｔｉｖａｔｉｏｎ）
（２）ｓｅｃｏｎｄａｒｙ  ｃａｒｒｉｅｒ  Ｌｉｓｔ：ｒｅｆｅｒｒｅｄ  ｂｙ  ｌｏｇｉｃａｌ  ｃａｒｒｉｅｒ  ｉｎｄｅｘ
（３）Ｒａｎｇｉｎｇ  ｉｎｄｉｃａｔｏｒ  ｆｏｒ  ｔｈｅ  ａｃｔｉｖａｔｅｄ  ｃａｒｒｉｅｒ
基地局は、ＭＣＥＨに‘１’に設定されたポーリングを有するキャリア運営命令メッセージ（ＣＭ−ＣＭＤ）を端末に伝送する。端末は、前記キャリア運営命令メッセージを受信する場合、前記キャリア運営命令メッセージを成功的に受信したかを知らせるために、ＡＡＩ＿ＭＳＧ−ＡＣＫ  ｍｅｓｓａｇｅまたはｍｅｓｓａｇｅ  ＡＣＫ拡張ヘッダ（ＥＨ）を基地局に伝送する。
【００８０】
端末は、ｐｒｉｍａｒｙ  ｃａｒｒｉｅｒを通じてキャリア指示メッセージ（ＣＭ−ＩＮＤ  ｍｅｓｓａｇｅ）を伝送する。前記キャリア指示メッセージは、端末が前記キャリア運営命令メッセージに含まれたキャリアを成功的に活性化又は非活性したかを確認する。
【００８１】
活性化された場合、端末は、新しく活性化されたキャリアのＤＬ／ＵＬがデータトラフィックを伝送するために使用される準備ができた場合、基地局にキャリア指示メッセージを伝送する。
【００８２】
端末が一つのｒａｄｉｏ  ｔｒａｎｓｃｅｉｖｅｒを有し、ｐｒｉｍａｒｙ  ｃａｒｒｉｅｒ及びｓｅｃｏｎｄａｒｙ  ｃａｒｒｉｅｒ両方を通じてデータ伝送をサポートする間、端末が第２のキャリアの活性化を行う場合、端末は、端末のハードウェア設定（一例として、ＲＦ中心周波数）を再構成する。
【００８３】
新しいキャリアに対するハードウェア再設定及び同期が完成した後に、端末は基地局にキャリア指示メッセージを伝送することによって、新しいキャリアに対する準備ができたことを知らせる。また、端末は基地局との通信を再開する。
【００８４】
基地局が端末からキャリア指示メッセージを受信した後に、基地局は、活性化された第２のキャリアを通じてデータ伝送を始めることができる。
【００８５】
（ＤＬ  ＣＩＮＲ  Ｒｅｐｏｒｔ方法）
１．Ｓｉｎｇｌｅ  ｃａｒｒｉｅｒ環境でのＤＬ  ＣＩＮＲ  Ｒｅｐｏｒｔ
基地局は、ＤＬ  Ａ−ＭＡＰでＦａｓｔＦｅｅｄｂａｃｋ  ＩＥを通じて該当の端末が使用するＵＬ  ＦａｓｔＦｅｅｄｂａｃｋ  Ｃｈａｎｎｅｌを割り当てる。
【００８６】
基地局から端末にＵＬ  ＦａｓｔＦｅｅｄｂａｃｋ  ｃｈａｎｎｅｌが割り当てられた場合、ＤＬ  ｃａｒｒｉｅｒに対するＣＱＩが割り当てられたＵＬ  ＦａｓｔＦｅｅｄｂａｃｋ  ｃｈａｎｎｅｌを通じて周期的に又はｅｖｅｎｔ−ｔｒｉｇｇｅｒｅｄ形式で基地局にｒｅｐｏｒｔｉｎｇすることができる。
【００８７】
端末からのＣＱＩ  ｒｅｐｏｒｔは、基地局が効率的にＤＬ  ｄａｔａを端末に伝送するために使用され得るので、基地局は、ｄａｔａ  ｔｒａｎｓｍｉｓｓｉｏｎを始める前に、端末からＣＱＩ  ｒｅｐｏｒｔを受信することができる。
【００８８】
このとき、端末はＣＱＩ  ｒｅｐｏｒｔをＵＬを通じて伝送するので、基地局はＣＱＩ  ｒｅｐｏｒｔ受信のために、基地局から端末にＣＱＩＣＨを割り当てなければならない。
【００８９】
Ｓｉｎｇｌｅ  ｃａｒｒｉｅｒシステムにおいて該当のｃａｒｒｉｅｒのＤＬ  ＣＱＩ受信のために、基地局は、該当のｃａｒｒｉｅｒのＵＬ  ｆａｓｔｆｅｅｄｂａｃｋ  ｃｈａｎｎｅｌを端末に割り当て、ｄｕｒａｔｉｏｎ及びｐｅｒｉｏｄを設定することによって、端末が周期的にＣＱＩ（ｃｈａｎｎｅｌ  ｑｕａｌｉｔｙ  ｉｎｆｏｒｍａｔｉｏｎ）を基地局にｒｅｐｏｒｔできるようにする。
【００９０】
２．Ｍｕｌｔｉ  ｃａｒｒｉｅｒ環境でのＤＬ  ＣＩＮＲ  ｒｅｐｏｒｔ  ｏｐｅｒａｔｉｏｎ
基地局は、端末の各キャリアにＦａｓｔｆｅｅｄｂａｃｋ  ｃｈａｎｎｅｌｓを割り当てる。
【００９１】
各キャリアごとにＦａｓｔｆｅｅｄｂａｃｋ  ｃｈａｎｎｅｌが端末に割り当てられたとき、端末は、該当のキャリアの割り当てられたＦａｓｔｆｅｅｄｂａｃｋ  ｃｈａｎｎｅｌを通じてキャリアに対するＣＩＮＲを報告する。
【００９２】
基地局は、ｓｉｎｇｌｅ  ｃａｒｒｉｅｒ  ｓｅｃｔｉｏｎで定義されたように、ｆｅｅｄｂａｃｋ領域でｐｒｉｍａｒｙ  ｃａｒｒｉｅｒのＦａｓｔｆｅｅｄｂａｃｋ  ｃｈａｎｎｅｌを通じて活性キャリアのＣＩＮＲ値を報告するように端末に指示することができる。
【００９３】
測定／報告ＭＡＣ  ｍｅｓｓａｇｅがＤＬ  ＣＩＮＲ報告動作のために使用されるとき、前記測定／報告メッセージは端末のｐｒｉｍａｒｙ  ｃａｒｒｉｅｒを通じて伝送される。
【００９４】
前記測定／報告ＭＡＣ  ｍｅｓｓａｇｅは、端末の全てのキャリアまたは各キャリアに対するＣＩＮＲ報告を含むことができる。
【００９５】
（Ｆｅｅｄｂａｃｋ  Ａｌｌｏｃａｔｉｏｎ  Ａ−ＭＡＰ  ＩＥ）
Ｆｅｅｄｂａｃｋ  Ａｌｌｏｃａｔｉｏｎ  Ａ−ＭＡＰ  ＩＥは、特定キャリアに対するフィードバックチャネルを割り当てるための情報を含む。明示的に活性化される対象キャリアが指示されなくても、割り当てキャリアのうち活性化されていないキャリアに対してフィードバックチャネルが割り当てられる場合、端末はこれを暗示的にキャリア活性化指示として認識することができる。
【００９６】
また、Ｆｅｅｄｂａｃｋ  Ａｌｌｏｃａｔｉｏｎ  Ａ−ＭＡＰ  ＩＥは、端末にＵＬ  ｆａｓｔ  ｆｅｅｄｂａｃｋ  ｃｏｎｔｒｏｌ  ｃｈａｎｎｅｌｓ（ＰＦＢＣＨとＳＦＢＣＨ両方とも含む）を動的に割り当てたり、割り当て解除のために使用されるマップ情報要素をいう。
【００９７】
万一、端末がａｃｔｉｖｅ  ＤＬ  ｃａｒｒｉｅｒに対するｆａｓｔｆｅｅｄｂａｃｋ  ｃｏｎｔｒｏｌ  ｃｈａｎｎｅｌを有しており、前記同一のａｃｔｉｖｅ  ＤＬ  ｃａｒｒｉｅｒに対して新しいｆｅｅｄｂａｃｋ  ｃｈａｎｎｅｌが割り当てられる場合、既存のｆａｓｔ  ｆｅｅｄｂａｃｋ  ｃｈａｎｎｅｌは自動的に割り当て解除される。
【００９８】
以下、Ｆｅｅｄｂａｃｋ  Ａｌｌｏｃａｔｉｏｎ  Ａ−ＭＡＰ  ＩＥに含まれたフィールドについて簡略に説明する。
【００９９】
−チャネルインデックス（Ｃｈａｎｎｅｌ  Ｉｎｄｅｘ）：端末がｆａｓｔ  ｆｅｅｄｂａｃｋ情報を伝送することができるｆａｓｔ  ｆｅｅｄｂａｃｋ  ｃｈａｎｎｅｌを固有に確認する。前記割り当てにより、ｃｈａｎｎｅｌ  ｉｎｄｅｘと端末間において一対一関係が確立される。
【０１００】
−ＡＣＫ  Ａｌｌｏｃａｔｉｏｎ  Ｆｌａｇ：基地局は、割り当て周期が‘０ｂ０００’に設定された場合、ＡＣＫ  Ａｌｌｏｃａｔｉｏｎ  Ｆｌａｇを‘０ｂ１’に設定することができ、新しく割り当てられたＦＦＢＣＨのｃｈａｎｎｅｌ  ｉｎｄｅｘは割り当て解除されたＦＦＢＣＨのｃｈａｎｎｅｌ  ｉｎｄｅｘと同一である。
【０１０１】
−Ｓｈｏｒｔ−ｔｅｒｍ  Ｆｅｅｄｂａｃｋ  Ｐｅｒｉｏｄ（ｐ）：ｓｈｏｒｔ−ｔｅｒｍ  ｆｅｅｄｂａｃｋは、毎２ｐフレームごとにＦＦＢＣＨを通じて伝送される。
【０１０２】
−Ｌｏｎｇ−ｔｅｒｍ  Ｆｅｅｄｂａｃｋ  Ｐｅｒｉｏｄ（ｑ）：Ｌｏｎｇ−ｔｅｒｍ  ｆｅｅｄｂａｃｋは毎２ｑｓｈｏｒｔ−ｔｅｒｍ  ｆｅｅｄｂａｃｋ機会ごとにＦＦＢＣＨを通じて伝送される。
【０１０３】
−Ａｌｌｏｃａｔｉｏｎ  ｄｕｒａｔｉｏｎ（ｄ）：ＦＦＢＣＨは、８＊２ｄフレームの間にｃｈａｎｎｅｌ  ｉｎｄｅｘによりｉｎｄｅｘされたＦＦＢＣＨチャネルを通じて伝送される。
【０１０４】
万一、ｄ＝０ｂ０００である場合、ＦＦＢＣＨは割り当て解除される。万一、ｄ＝０ｂ１１１である場合、端末は、基地局が端末に中止命令を送るまで基地局にｆｅｅｄｂａｃｋ情報を報告する。
【０１０５】
−ＭＦＭ：ＭＩＭＯ  ｆｅｅｄｂａｃｋ  ｍｏｄｅ
−Ｆｅｅｄｂａｃｋ  Ｆｏｒｍａｔ：Ｆｅｅｄｂａｃｋ  Ｆｏｒｍａｔは、ＦＦＢＣＨでｆａｓｔ  ｆｅｅｄｂａｃｋ情報を報告するとき、ｆｅｅｄｂａｃｋ  ｆｏｒｍａｔ  ｉｎｄｅｘを具体化する。
【０１０６】
ＦＰＩ：ｓｈｏｒｔ  ｔｅｒｍ  ｐｅｒｉｏｄ報告が端末により測定される周波数部分をいう。ＦＰＩはＦＰＣＴ＝１であるとき、含まれない。
【０１０７】
（キャリア管理（運営）命令メッセージ（ＡＡＩ＿ＣＭ−ＣＭＤメッセージ））
前述したように、基地局は端末にセカンダリキャリアの活性化をキャリア管理命令（ＡＡＩ＿ＣＭ−ＣＭＤ）メッセージを通じて指示することができる。このようなメッセージには、キャリア管理タイプを指示するフィールド、すなわち、アクションコード（Ａｃｔｉｏｎ  ｃｏｄｅ）フィールドが含まれ、該当のメッセージを通じた指示事項がセカンダリキャリアの活性化／非活性化であるか、またはプライマリキャリア変更であるか否かを端末に指示することができる。
【０１０８】
このとき、キャリア活性化のために基地局が端末にＡＡＩ＿ＣＭ−ＣＭＤメッセージを伝送する前に、上述した方法で割り当てキャリアに対するスキャニングが行われて、スキャン報告が行われた場合、基地局は、スキャニング結果を参照して、活性化に適したキャリアを新しく選択し、その結果をＡＡＩ＿ＣＭ−ＣＭＤメッセージに反映して端末に伝送することができる。
【０１０９】
以下、ＡＡＩ＿ＣＭ−ＣＭＤメッセージに含まれるパラメータについて簡略に説明する。
【０１１０】
−指示タイプ（Ｉｎｄｉｃａｔｉｏｎ  Ｔｙｐｅ）：活性化又は非活性化を指示する。
【０１１１】
−ターゲットキャリアインデックス（Ｔａｒｇｅｔ  ｃａｒｒｉｅｒ  ｉｎｄｅｘ）：該当のメッセージを通じて活性化される対象キャリアの物理又は論理キャリアインデックスを指示する。
【０１１２】
−活性化限界点（Ａｃｔｉｖａｔｉｏｎ  ｄｅａｄｌｉｎｅ）：ＡＡＩ＿ＣＭ−ＣＭＤメッセージが端末に伝送された後、該当のメッセージを通じて活性化が指示されたキャリアの活性化完了を確認するためのメッセージを端末が伝送することができる時点（または限界時点）を指示する。
【０１１３】
このとき、活性化完了を確認（ＣＭ  ＡＣＫ）するためのメッセージは、メッセージ自体の受信が成功したか否かを指示するメッセージ肯定応答（ＡＡＩ＿ＭＳＧ−ＡＣＫ）または肯定応答拡張ヘッダ（ＡＣＫ  ＥＨ）とは区分される概念であって、このためにキャリア管理指示（ＡＡＩ＿ＣＭ−ＩＮＤ）メッセージを使用することができる。活性化限界点フィールドの値は、スーパーフレーム単位で表示することができ、スーパーフレームナンバー（Ｓｕｐｅｒｆｒａｍｅ  ｎｕｍｂｅｒ）を所定ビット（例えば、スーパーフレームナンバーの最下位６ビット）で示した値であってもよい。
【０１１４】
活性化限界点がタイマー（Ａｃｔｉｖａｔｉｏｎ  ｔｉｍｅｒ）形態で具現される場合、該当のタイマーが満了する時点を指示したり、タイマー値を設定してもよい。ＡＡＩ＿ＣＭ−ＣＭＤメッセージを通じて活性化が指示されるキャリア（以下、“対象キャリア”という）の活性化のために、１）レンジングが必要であるか、または２）スーパーフレームヘッダ変更カウント（ＳＦＨ  ｃｈａｎｇｅ  ｃｏｕｎｔ）によるＳＦＨアップデートが必要であるか否かによって活性化限界点の値が異なるように設定され得る。ＣＭ  ＡＣＫ  ａｖａｉｌａｂｌｅ  Ｔｉｍｅとして使用される場合、この値は、ＡＭＳがｓｅｃｏｎｄａｒｙ  ｃａｒｒｉｅｒ  ｍａｎａｇｅｍｅｎｔ  ｍｅｓｓａｇｅを受信した後にＡＣＫメッセージを伝送できる時間を意味することができる。
【０１１５】
−レンジング指示子（Ｒａｎｇｉｎｇ  ｉｎｄｉｃａｔｏｒ）：対象キャリアに対して周期的レンジング（ｐｅｒｉｏｄｉｃ  ｒａｎｇｉｎｇ）が要求されるか否かを１ビットで指示することができる。本指示子が‘１’に設定されて伝送される場合、端末は、ＡＡＩ＿ＣＭ−ＩＮＤメッセージを伝送する前に、対象キャリアに対するレンジング及び活性化を全て完了することが好ましい。逆に、本指示子が‘０’に設定される場合、端末は、対象キャリアの活性化完了のみでＡＡＩ＿ＣＭ−ＩＮＤメッセージを基地局に伝送することができる。
【０１１６】
−対象キャリアの数（ｎｕｍｂｅｒ  ｏｆ  ｔａｒｇｅｔ  ｃａｒｒｉｅｒ）：該当のメッセージを通じて活性化／非活性化されるセカンダリキャリアの数を示す。
【０１１７】
本明細書は、マルチキャリアモード（ＭＣ  ｍｏｄｅ）（例えば、Ｂａｓｉｃ  ＭＣ  ｍｏｄｅ、Ｃａｒｒｉｅｒ  Ａｇｇｒｅｇａｔｉｏｎ  Ｍｏｄｅ、Ｃａｒｒｉｅｒ  Ｓｗｉｔｃｈｉｎｇ  Ｍｏｄｅ）にある端末（ＡＭＳ）が、第２のキャリア（ｓｅｃｏｎｄａｒｙ  ｃａｒｒｉｅｒ）（一例として、ａｓｓｉｇｎｅｄ  ｃａｒｒｉｅｒ  ｏｒ  ａｃｔｉｖｅ  ｃａｒｒｉｅｒ）に対するフィードバック情報（ＣＱＩ、ＭＩＭＯ  Ｆｅｅｄｂａｃｋ、ＨＡＲＱ  ＡＣＫ／ＮＡＣＫ）を基地局に伝送する方法を提供する。
【０１１８】
（第１実施例）
第１実施例は、マルチキャリアシステムにおいて、ダウンリンクキャリアを通じて送受信されるｄａｔａに対するフィードバックチャネルが割り当てられたキャリアを暗示的に（ｉｍｐｌｉｃｉｔｌｙ）端末に知らせる方法を提供する。
【０１１９】
マルチキャリアシステムにおいてＤＬ  ｃａｒｒｉｅｒに対するフィードバックチャネルは、ｓｉｎｇｌｅ  ｃａｒｒｉｅｒで定義されているように、Ｆｅｅｄｂａｃｋ  Ａｌｌｏｃａｔｉｏｎ  Ａ−ＭＡＰ  ＩＥを通じて割り当てられることができる。
【０１２０】
ここで、前記ｆｅｅｄｂａｃｋ  ｃｈａｎｎｅｌは、高速フィードバックチャネル（Ｆａｓｔ  ｆｅｅｄｂａｃｋ  ｃｈａｎｎｅｌ）または第２のキャリアのダウンリンクを通じて送受信されるｄａｔａに対するＨＡＲＱ  ＡＣＫ／ＮＡＣＫのためのＨＡＲＱ  Ｆｅｅｄｂａｃｋ  ｃｈａｎｎｅｌをいう。
【０１２１】
基地局は、ＤＬ  ｃａｒｒｉｅｒに対するフィードバックチャネルが割り当てられたキャリア（以下‘該当のキャリア’という）のアップリンクが活性キャリアであるか、または非活性キャリアであるかに関係なく、ＤＬ  ｃａｒｒｉｅｒが活性キャリアである場合、前記該当のキャリアに伝送されるダウンリンクマップメッセージ（ＤＬ  Ａ−ＭＡＰ）を通じて、Ｆｅｅｄｂａｃｋ  Ａｌｌｏｃａｔｉｏｎ  Ａ−ＭＡＰ  ＩＥを伝送することによって、前記ＤＬ  ｃａｒｒｉｅｒに対するＵＬ  ｆｅｅｄｂａｃｋ  ｃｈａｎｎｅｌを割り当てる。
【０１２２】
ここで、前記該当のキャリアが、ダウンリンクのみが活性化されたキャリア（ＤＬ  ｏｎｌｙ  ａｃｔｉｖａｔｅｄ  ｃａｒｒｉｅｒ）である場合にも、基地局は、前記該当のキャリア（すなわち、ダウンリンクのみが活性化された第２のキャリア）のＤＬ  Ａ−ＭＡＰを通じてＦｅｅｄｂａｃｋ  Ａｌｌｏｃａｔｉｏｎ  Ａ−ＭＡＰ  ＩＥを端末に伝送する。
【０１２３】
まず、ＤＬ／ＵＬがいずれも活性化されたｓｅｃｏｎｄａｒｙ  ｃａｒｒｉｅｒのダウンリンクに対するｆｅｅｄｂａｃｋ情報の伝送方法について説明する。
【０１２４】
図４は、本明細書の第１実施例に係る特定ｓｅｃｏｎｄａｒｙ  ｃａｒｒｉｅｒのＤＬ／ＵＬ両方とも活性化を指示するＣＭ−ＣＭＤメッセージを受信した場合、前記ＤＬ／ＵＬがいずれも活性化されたｓｅｃｏｎｄａｒｙ  ｃａｒｒｉｅｒのダウンリンクに対するｆｅｅｄｂａｃｋ情報の伝送方法を示す図である。
【０１２５】
端末は、基地局と論理搬送波インデックス（Ｌｏｇｉｃａｌ  Ｃａｒｒｉｅｒ  Ｉｎｄｅｘ：ＬＣＩ）０にマッピングされるｐｒｉｍａｒｙ  ｃａｒｒｉｅｒ及び論理搬送波インデックス（Ｌｏｇｉｃａｌ  Ｃａｒｒｉｅｒ  Ｉｎｄｅｘ：ＬＣＩ）１，２，３にそれぞれマッピングされる３個のｓｅｃｏｎｄａｒｙ  ｃａｒｒｉｅｒを通じて、制御情報及びデータを送受信できると仮定する。
【０１２６】
ここで、ＬＣＩは、そのインデックスにより指示される搬送波（ｃａｒｒｉｅｒ）を称する。ここで、ｐｒｉｍａｒｙ  ｃａｒｒｉｅｒ及びｓｅｃｏｎｄａｒｙ  ｃａｒｒｉｅｒはそれぞれＬＣＩだけでなく、物理搬送波インデックス（Ｐｈｙｓｉｃａｌ  Ｃａｒｒｉｅｒ  Ｉｎｄｅｘ：ＰＣＩ）により称されてもよい。
【０１２７】
図４に示すように、基地局は、ＬＣＩ  ３の活性化を指示し、前記ＬＣＩ  ３のＤＬ／ＵＬ両方とも活性化を指示するＣＭ−ＣＭＤメッセージをｐｒｉｍａｒｙ  ｃａｒｒｉｅｒを通じて端末に伝送する。（Ｓ４１０）
また、前記ＣＭ−ＣＭＤメッセージを端末に伝送する前には、端末のｓｅｃｏｎｄａｒｙ  ｃａｒｒｉｅｒのうちＬＣＩ  ２のみが活性化状態にある。
【０１２８】
端末は、前記受信されたＣＭ−ＣＭＤメッセージによって、ＬＣＩ  ３を活性化させる。ここで、端末は、前記ＬＣＩ  ３のＤＬ及びＵＬ両方を活性化させる。
【０１２９】
端末は、前記ＬＣＩ  ３の活性化が準備されたことを知らせる、ＣＭ−ＩＮＤメッセージをｐｒｉｍａｒｙ  ｃａｒｒｉｅｒを通じて基地局に伝送する。（Ｓ４２０）
次に、端末が基地局から前記ＬＣＩ  ３を通じてＦｅｅｄｂａｃｋ  Ａｌｌｏｃａｔｉｏｎ  Ａ−ＭＡＰ  ＩＥを受信する場合（Ｓ４３０）、端末は、前記ＬＣＩ  ３のダウンリンクに対するフィードバック情報を前記ＬＣＩ  ３のＵＬ  ｆｅｅｄｂａｃｋ  ｃｈａｎｎｅｌを通じて基地局に伝送する。（Ｓ４４０）
すなわち、端末は、基地局からＦｅｅｄｂａｃｋ  Ａｌｌｏｃａｔｉｏｎ  Ａ−ＭＡＰ  ＩＥを受信する場合、該当のｓｅｃｏｎｄａｒｙ  ｃａｒｒｉｅｒのダウンリンクに対するｆｅｅｄｂａｃｋ情報を、該当のｓｅｃｏｎｄａｒｙ  ｃａｒｒｉｅｒのアップリンクで前記Ｆｅｅｄｂａｃｋ  Ａｌｌｏｃａｔｉｏｎ  Ａ−ＭＡＰ  ＩＥによって割り当てられたＵＬ  ｆｅｅｄｂａｃｋ  ｃｈａｎｎｅｌを通じて伝送する。
【０１３０】
以下で、端末が、ダウンリンクのみが活性化された第２のキャリアを通じてＦｅｅｄｂａｃｋ  Ａｌｌｏｃａｔｉｏｎ  Ａ−ＭＡＰ  ＩＥを受信した場合、前記ダウンリンクのみが活性化された第２のキャリアのフィードバック情報の伝送方法について具体的に説明する。
【０１３１】
この場合、端末は、ダウンリンクのみが活性化された第２のキャリアを通じて受信したＦｅｅｄｂａｃｋ  Ａｌｌｏｃａｔｉｏｎ  Ａ−ＭＡＰ  ＩＥによって割り当てられたＵＬ  ｆｅｅｄｂａｃｋ  ｃｈａｎｎｅｌをｐｒｉｍａｒｙ  ｃａｒｒｉｅｒのＵＬ  ｆｅｅｄｂａｃｋ  ｃｈａｎｎｅｌと解釈する｛かいしゃく｝。なぜなら、前記第２のキャリアのアップリンクが非活性化されているので、前記第２のキャリアを通じてフィードバック情報を基地局に伝送できないからである。
【０１３２】
すなわち、端末は、前記ダウンリンクのみが活性化された第２のキャリアに対するフィードバック情報を、ｐｒｉｍａｒｙ  ｃａｒｒｉｅｒのＵＬ  ｆｅｅｄｂａｃｋ  ｃｈａｎｎｅｌを通じて基地局に伝送する。
【０１３３】
すなわち、端末は、前記ダウンリンクのみが活性化された第２のキャリアを通じて受信したＦｅｅｄｂａｃｋ  Ａｌｌｏｃａｔｉｏｎ  Ａ−ＭＡＰ  ＩＥに含まれたＵＬ  ｆｅｅｄｂａｃｋ  ｃｈａｎｎｅｌ  ｉｎｄｅｘを、ｐｒｉｍａｒｙ  ｃａｒｒｉｅｒのＵＬ  ｆｅｅｄｂａｃｋ  ｃｈａｎｎｅｌに対するｃｈａｎｎｅｌ  ｉｎｄｅｘとして認識する。
【０１３４】
したがって、端末は、第２のキャリアがダウンリンクのみが活性化された場合、前記第２のキャリアに対するｆｅｅｄｂａｃｋ情報をｐｒｉｍａｒｙ  ｃａｒｒｉｅｒのＵＬ  ｆｅｅｄｂａｃｋ  ｃｈａｎｎｅｌを通じて基地局に伝送する。
【０１３５】
ここで、基地局と端末は、ダウンリンクキャリア（ＤＬ  ｃａｒｒｉｅｒ）に対するｆｅｅｄｂａｃｋ  ｃｈａｎｎｅｌが割り当てられたｃａｒｒｉｅｒがＤＬ  ｏｎｌｙ  ａｃｔｉｖａｔｅｄ  ｃａｒｒｉｅｒであるかをキャリア運営命令メッセージ（ＡＡＩ＿ＣＭ−ＣＭＤ  ｍｅｓｓａｇｅ）を通じて互いに知っている。
【０１３６】
すなわち、基地局と端末は、ＣＭ−ＣＭＤメッセージに含まれたＡｃｔｉｖａｉｔｏｎ  ｏｆ  ＤＬ／ＵＬ、Ｄｅａｃｔｉｖａｔｉｏｎ  ｏｆ  ＤＬ／ＵＬフィールドを通じて、ＤＬ  ｃａｒｒｉｅｒに対するｆｅｅｄｂａｃｋ  ｃｈａｎｎｅｌが割り当てられたｃａｒｒｉｅｒがＤＬ  ｏｎｌｙ  ａｃｔｉｖａｔｅｄ  ｃａｒｒｉｅｒであるかが分かる。
【０１３７】
したがって、端末は、前記ダウンリンクのみが活性化された第２のキャリアを通じて、Ｆｅｅｄｂａｃｋ  ａｌｌｏｃａｔｉｏｎ  Ａ−ＭＡＰ  ＩＥを受信する場合、前記基地局から受信されたＦｅｅｄｂａｃｋ  Ａｌｌｏｃａｔｉｏｎ  Ａ−ＭＡＰ  ＩＥによって割り当てられたＵＬ  ｆｅｅｄｂａｃｋ  ｃｈａｎｎｅｌが、前記ＤＬ  ｃａｒｒｉｅｒのｆｅｅｄｂａｃｋ  ｃｈａｎｎｅｌが割り当てられたｃａｒｒｉｅｒのＵＬ  ｃｏｎｔｒｏｌ  ｃｈａｎｎｅｌに対する割り当てであるか、ｐｒｉｍａｒｙ  ｃａｒｒｉｅｒのＵＬ  ｃｏｎｔｒｏｌ  ｃｈａｎｎｅｌに対する割り当てであるかが分かる。
【０１３８】
１．ＤＬ／ＵＬがいずれも活性化されたｓｅｃｏｎｄａｒｙ  ｃａｒｒｉｅｒがＣＭ−ＣＭＤメッセージによりＤＬ  ｏｎｌｙ  ａｃｔｉｖａｔｅｄ  ｃａｒｒｉｅｒとなった場合
ＤＬ／ＵＬがいずれも活性化された第２のキャリア（ｓｅｃｏｎｄａｒｙ  ｃａｒｒｉｅｒ）のダウンリンクに対するＦｅｅｄｂａｃｋ情報を伝送するために、基地局からｆｅｅｄｂａｃｋ  Ａｌｌｏｃａｔｉｏｎ  Ａ−ＭＡＰ  ＩＥが前記ｓｅｃｏｎｄａｒｙ  ｃａｒｒｉｅｒのＡ−ＭＡＰを通じて伝送される場合、前記Ｆｅｅｄｂａｃｋ  Ａｌｌｏｃａｔｉｏｎ  Ａ−ＭＡＰ  ＩＥに割り当てられたＵＬ  ｆｅｅｄｂａｃｋ  ｃｈａｎｎｅｌは、前記ｓｅｃｏｎｄａｒｙ  ｃａｒｒｉｅｒのＵＬ  ｆｅｅｄｂａｃｋ  ｃｈａｎｎｅｌに対するａｌｌｏｃａｔｉｏｎを意味する。
【０１３９】
しかし、前記ＤＬ／ＵＬがいずれもａｃｔｉｖｅ  ｃａｒｒｉｅｒであるｓｅｃｏｎｄａｒｙ  ｃａｒｒｉｅｒのＵＬをｄｅａｃｔｉｖａｔｅさせるＡＡＩ＿ＣＭ−ＣＭＤメッセージが基地局から伝送される場合、基地局は前記ｓｅｃｏｎｄａｒｙ  ｃａｒｒｉｅｒに対するｆｅｅｄｂａｃｋ  ｃｈａｎｎｅｌを新しく割り当てる。
【０１４０】
ここで、基地局は、アップリンクが非活性化されたｓｅｃｏｎｄａｒｙ  ｃａｒｒｉｅｒに対するｆｅｅｄｂａｃｋ  ｃｈａｎｎｅｌをｐｒｉｍａｒｙ  ｃａｒｒｉｅｒのＵＬ  ｆａｓｔｆｅｅｄｂａｃｋ  ｃｈａｎｎｅｌに割り当てる。
【０１４１】
図５は、本明細書の第１実施例に係るＤＬ／ＵＬがいずれも活性化されたｓｅｃｏｎｄａｒｙ  ｃａｒｒｉｅｒがＣＭ−ＣＭＤメッセージによりＤＬ  ｏｎｌｙ  ａｃｔｉｖａｔｅｄ  ｃａｒｒｉｅｒとなった場合、前記ＤＬ  ｏｎｌｙ  ａｃｔｉｖａｔｅｄ  ｃａｒｒｉｅｒのダウンリンクフィードバック情報の伝送方法を示す図である。
【０１４２】
図４と同様に、ｐｒｉｍａｒｙ  ｃａｒｒｉｅｒはＬＣＩ  ０にマッピングされ、それぞれのｓｅｃｏｎｄａｒｙ  ｃａｒｒｉｅｒはＬＣＩ  １，２，３にマッピングされている。
【０１４３】
図５を参照すると、端末は、ＬＣＩ  ０（ｐｒｉｍａｒｙ  ｃａｒｒｉｅｒ）を通じてＬＣＩ  ３のアップリンクのみ非活性化を指示するＣＭ−ＣＭＤメッセージを受信する（Ｓ５１０）。この場合、端末は、前記受信されたＣＭ−ＣＭＤメッセージによってＬＣＩ  ３のアップリンクを非活性化させ、前記非活性化が完了したことを知らせるためのＣＭ−ＩＮＤメッセージをＬＣＩ  ０を通じて基地局に伝送する（Ｓ５２０）。
【０１４４】
前記ダウンリンクのみが活性化されたＬＣＩ  ３を通じて、基地局からＦｅｅｄｂａｃｋ  Ａｌｌｏｃａｔｉｏｎ  Ａ−ＭＡＰ  ＩＥを受信した場合（Ｓ５３０）、端末は、前記ＬＣＩ  ３のダウンリンクに対するフィードバック情報をＬＣＩ  ０（ｐｒｉｍａｒｙ  ｃａｒｒｉｅｒ）のＵＬ  ｆｅｅｄｂａｃｋ  ｃｈａｎｎｅｌを通じて伝送する（Ｓ５３０）。
【０１４５】
２．該当のｓｅｃｏｎｄａｒｙ  ｃａｒｒｉｅｒがＤＬ  ｏｎｌｙ  ａｃｔｉｖａｔｅｄ  ｃａｒｒｉｅｒである場合
第２のキャリアのダウンリンクに対するｆｅｅｄｂａｃｋ情報を伝送するために、前記第２のキャリアに対するｆｅｅｄｂａｃｋ  ｃｈａｎｎｅｌが割り当てられた第２のキャリア（該当のｓｅｃｏｎｄａｒｙ  ｃａｒｒｉｅｒ）がダウンリンクのみ活性化された場合、端末は、前記第２のキャリアのダウンリンクに対するｆｅｅｄｂａｃｋ情報をｐｒｉｍａｒｙ  ｃａｒｒｉｅｒのＵＬ  ｆｅｅｄｂａｃｋ  ｃｈａｎｎｅｌを通じて伝送する。
【０１４６】
すなわち、第２のキャリアのダウンリンクに対するｆｅｅｄｂａｃｋのために、ｆｅｅｄｂａｃｋ  Ａｌｌｏｃａｔｉｏｎ  Ａ−ＭＡＰ  ＩＥが前記ダウンリンクのみ活性化された該当のｓｅｃｏｎｄａｒｙ  ｃａｒｒｉｅｒに伝送される場合、前記ｆｅｅｄｂａｃｋ  Ａｌｌｏｃａｔｉｏｎ  Ａ−ＭＡＰ  ＩＥに含まれたｆｅｅｄｂａｃｋ  ｃｈａｎｎｅｌ  ｉｎｄｅｘはｐｒｉｍａｒｙ  ｃａｒｒｉｅｒのＵＬ  ｆｅｅｄｂａｃｋ  ｃｈａｎｎｅｌに対する割り当てを意味する。
【０１４７】
ここで、該当のキャリア（すなわち、ＤＬ  ｏｎｌｙ  ａｃｔｉｖａｔｅｄ  ｃａｒｒｉｅｒ）に対するｆｅｅｄｂａｃｋ情報がｐｒｉｍａｒｙ  ｃａｒｒｉｅｒを通じて伝送される中に、前記ＤＬ  ｏｎｌｙ  ａｃｔｉｖａｔｅｄ  ｓｅｃｏｎｄａｒｙ  ｃａｒｒｉｅｒのアップリンクが基地局から伝送されるＣＭ−ＣＭＤメッセージにより活性化（ａｃｔｉｖａｔｅ）された場合、前記アップリンクがａｃｔｉｖａｔｉｏｎされると同時に、基地局は、端末に前記ＤＬ  ｏｎｌｙ  ａｃｔｉｖａｔｅｄ  ｓｅｃｏｎｄａｒｙ  ｃａｒｒｉｅｒに対するＵＬ  ｆｅｅｄｂａｃｋ  ｃｈａｎｎｅｌを新しく割り当てることができる。
【０１４８】
ここで、新しく割り当てられたＵＬ  ｆｅｅｄｂａｃｋ  ｃｈａｎｎｅｌは、前記ＤＬ  ｏｎｌｙ  ａｃｔｉｖａｔｅｄ  ｓｅｃｏｎｄａｒｙ  ｃａｒｒｉｅｒのＵＬ  ｃｏｎｔｒｏｌ  ｃｈａｎｎｅｌに対する割り当てを示す。
【０１４９】
前記ＵＬ  ｆｅｅｄｂａｃｋ  ｃｈａｎｎｅｌが新しく割り当てられるまで、端末は、以前に割り当てられたｐｒｉｍａｒｙ  ｃａｒｒｉｅｒのＵＬ  ｆｅｅｄｂａｃｋ  ｃｈａｎｎｅｌを通じてＤＬ  ｃａｒｒｉｅｒに対するＦｅｅｄｂａｃｋ情報を基地局に伝送する。
【０１５０】
図６は、本明細書の一実施例に係るＤＬ  ｏｎｌｙ  ａｃｔｉｖａｔｅｄ  ｃａｒｒｉｅｒのダウンリンクフィードバック情報の伝送方法を示す図である。
【０１５１】
図４と同様に、ｐｒｉｍａｒｙ  ｃａｒｒｉｅｒはＬＣＩ  ０にマッピングされ、それぞれのｓｅｃｏｎｄａｒｙ  ｃａｒｒｉｅｒはＬＣＩ  １，２，３にマッピングされている。
【０１５２】
図６を参照すると、端末は、ダウンリンクのみが活性化されたＬＣＩ  ３を通じて基地局からＦｅｅｄｂａｃｋ  Ａｌｌｏｃａｔｉｏｎ  Ａ−ＭＡＰ  ＩＥを受信した場合（Ｓ６１０）、端末は、前記ＬＣＩ  ３のダウンリンクに対するフィードバック情報をＬＣＩ  ０（ｐｒｉｍａｒｙ  ｃａｒｒｉｅｒ）のＵＬ  ｆｅｅｄｂａｃｋ  ｃｈａｎｎｅｌを通じて伝送する（Ｓ６２０）。
【０１５３】
（第２実施例）
第２実施例は、マルチキャリアシステムにおいて、Ｆｅｅｄｂａｃｋ  Ａｌｌｏｃａｔｉｏｎ  Ａ−ＭＡＰ  ＩＥのｃａｒｒｉｅｒ  ｉｎｄｉｃａｔｉｏｎ  ｂｉｔを用いて、ダウンリンクｓｅｃｏｎｄａｒｙ  ｃａｒｒｉｅｒのフィードバックチャネルが割り当てられたキャリアを明示的に知らせる方法を提供する。
【０１５４】
すなわち、基地局は、Ｆｅｅｄｂａｃｋ  Ａｌｌｏｃａｔｉｏｎ  Ａ−ＭＡＰ  ＩＥに該当のｓｅｃｏｎｄａｒｙ  ｃａｒｒｉｅｒのｆｅｅｄｂａｃｋ  ｃｈａｎｎｅｌが割り当てられたｃａｒｒｉｅｒを指示するｃａｒｒｉｅｒ  ｉｎｄｉｃａｔｉｏｎフィールドを含んで端末に伝送する。ここで、該当のｓｅｃｏｎｄａｒｙ  ｃａｒｒｉｅｒは、Ｆｅｅｄｂａｃｋ  Ａｌｌｏｃａｔｉｏｎ  Ａ−ＭＡＰ  ＩＥを受信するｓｅｃｏｎｄａｒｙ  ｃａｒｒｉｅｒをいう。
【０１５５】
したがって、端末は、前記該当のｓｅｃｏｎｄａｒｙ  ｃａｒｒｉｅｒのダウンリンクに対するフィードバック情報を、前記ｃａｒｒｉｅｒ  ｉｎｄｉｃａｔｉｏｎフィールドが指示するｃａｒｒｉｅｒのＵＬ  ｆｅｅｄｂａｃｋ  ｃｈａｎｎｅｌを通じて基地局に伝送する。ここで、前記ＵＬ  ｆｅｅｄｂａｃｋ  ｃｈａｎｎｅｌは、前記Ｆｅｅｄｂａｃｋ  Ａｌｌｏｃａｔｉｏｎ  Ａ−ＭＡＰ  ＩＥによって割り当てられる。
【０１５６】
下記の表１は、本明細書の一実施例に係るｃａｒｒｉｅｒ  ｉｎｄｉｃａｔｉｏｎフィールドが含まれたＦｅｅｄｂａｃｋ  Ａｌｌｏｃａｔｉｏｎ  Ａ−ＭＡＰ  ＩＥ（ＦＡ  Ａ−ＭＡＰ  ＩＥ）の一例を示す。
【０１５７】
【表１】
0005639198.tif 000002
【０１５８】
表１を参照すると、ｃａｒｒｉｅｒ  ｉｎｄｉｃａｔｉｏｎフィールドは、Ｆｅｅｄｂａｃｋ  Ａｌｌｏｃａｔｉｏｎ  Ａ−ＭＡＰ  ＩＥが伝送されるｓｅｃｏｎｄａｒｙ  ｃａｒｒｉｅｒのダウンリンクに対するｆｅｅｄｂａｃｋ情報を、ｐｒｉｍａｒｙ  ｃａｒｒｉｅｒのＵＬ  ｆｅｅｄｂａｃｋ  ｃｈａｎｎｅｌに割り当てるか、または前記ＦＡ  Ａ−ＭＡＰ  ＩＥを受信したｓｅｃｏｎｄａｒｙ  ｃａｒｒｉｅｒのＵＬ  ｆｅｅｄｂａｃｋ  ｃｈａｎｎｅｌに割り当てるかを指示する。
【０１５９】
一例として、ｃａｒｒｉｅｒ  ｉｎｄｉｃａｔｉｏｎフィールドが‘１’に設定された場合、端末は、該当のｓｅｃｏｎｄａｒｙ  ｃａｒｒｉｅｒのダウンリンクに対するｆｅｅｄｂａｃｋ情報を、ｐｒｉｍａｒｙ  ｃａｒｒｉｅｒのＵＬ  ｆｅｅｄｂａｃｋ  ｃｈａｎｎｅｌを通じて伝送する。
【０１６０】
また、ｃａｒｒｉｅｒ  ｉｎｄｉｃａｔｉｏｎフィールドが‘０’に設定された場合、端末は、該当のｓｅｃｏｎｄａｒｙ  ｃａｒｒｉｅｒのダウンリンクに対するｆｅｅｄｂａｃｋ情報を、該当のｓｅｃｏｎｄａｒｙ  ｃａｒｒｉｅｒ（すなわち、Ｆｅｅｄｂａｃｋ  Ａｌｌｏｃａｔｉｏｎ  Ａ−ＭＡＰ  ＩＥが伝送されるｓｅｃｏｎｄａｒｙ  ｃａｒｒｉｅｒ）のＵＬ  ｆｅｅｄｂａｃｋ  ｃｈａｎｎｅｌを通じて伝送する。
【０１６１】
ここで、前記ｃａｒｒｉｅｒ  ｉｎｄｉｃａｔｉｏｎフィールドは、該当のｓｅｃｏｎｄａｒｙ  ｃａｒｒｉｅｒのＤＬ／ＵＬがいずれもａｃｔｉｖａｔｉｏｎされた場合にのみ‘０’または‘１’に設定されることができ、該当のｓｅｃｏｎｄａｒｙ  ｃａｒｒｉｅｒがＤＬ  ｏｎｌｙ  ａｃｔｉｖａｔｅｄ  ｃａｒｒｉｅｒである場合には、前記ｃａｒｒｉｅｒ  ｉｎｄｉｃａｔｉｏｎフィールドは、常に‘１’に設定される。
【０１６２】
すなわち、該当のｓｅｃｏｎｄａｒｙ  ｃａｒｒｉｅｒがＤＬ  ｏｎｌｙ  ａｃｔｉｖａｔｅｄ  ｃａｒｒｉｅｒである場合には、Ｆｅｅｄｂａｃｋ  Ａｌｌｏｃａｔｉｏｎ  Ａ−ＭＡＰ  ＩＥは、該当のｓｅｃｏｎｄａｒｙ  ｃａｒｒｉｅｒのＤＬ  Ａ−ＭＡＰを通じて伝送されるが、該当のｓｅｃｏｎｄａｒｙ  ｃａｒｒｉｅｒのｆｅｅｄｂａｃｋは、ｐｒｉｍａｒｙ  ｃａｒｒｉｅｒのＵＬ  ｆｅｅｄｂａｃｋ  ｃｈａｎｎｅｌを通じて基地局に伝送される。
【０１６３】
また、上記の内容は、ＦＦＢＣＨを割り当てる時だけでなく、ＨＡＲＱ  ＡＣＫ／ＮＡＣＫのためのＨＦＢＣＨを割り当てる時にも同一に適用可能である。
【０１６４】
図７Ａは、本明細書の第２実施例に係るｃａｒｒｉｅｒ  ｉｎｄｉｃａｔｉｏｎフィールドが‘１’に設定された場合、ｐｒｉｍａｒｙ  ｃａｒｒｉｅｒを通じてｆｅｅｄｂａｃｋ情報を伝送する方法を示す図で、図７Ｂは、ｃａｒｒｉｅｒ  ｉｎｄｉｃａｔｉｏｎフィールドが‘０’に設定された場合、該当のｓｅｃｏｎｄａｒｙ  ｃａｒｒｉｅｒを通じてｆｅｅｄｂａｃｋ情報を伝送する方法を示す図である。
【０１６５】
図７Ａを参照すると、端末が基地局からＬＣＩ  ３にマッピングされるｓｅｃｏｎｄａｒｙ  ｃａｒｒｉｅｒを通じて、ｃａｒｒｉｅｒ  ｉｎｄｉｃａｔｉｏｎフィールドが‘１’に設定されたＦｅｅｄｂａｃｋ  Ａｌｌｏｃａｔｉｏｎ  Ａ−ＭＡＰ  ＩＥを受信した場合（Ｓ７１０）、端末は、ＬＣＩ  ３のｓｅｃｏｎｄａｒｙ  ｃａｒｒｉｅｒのｆｅｅｄｂａｃｋ情報を前記ＬＣＩ  ０のｐｒｉｍａｒｙ  ｃａｒｒｉｅｒのＵＬ  ｆｅｅｄｂａｃｋ  ｃｈａｎｎｅｌを通じて伝送する（Ｓ７２０）。
【０１６６】
図７Ｂを参照すると、端末が基地局からＬＣＩ  ３にマッピングされるｓｅｃｏｎｄａｒｙ  ｃａｒｒｉｅｒを通じて、ｃａｒｒｉｅｒ  ｉｎｄｉｃａｔｉｏｎフィールドが‘０’に設定されたＦｅｅｄｂａｃｋ  Ａｌｌｏｃａｔｉｏｎ  Ａ−ＭＡＰ  ＩＥを受信した場合（Ｓ７３０）、端末は、ＬＣＩ  ３のｓｅｃｏｎｄａｒｙ  ｃａｒｒｉｅｒのｆｅｅｄｂａｃｋ情報を前記ＬＣＩ  ３のｓｅｃｏｎｄａｒｙ  ｃａｒｒｉｅｒのＵＬ  ｆｅｅｄｂａｃｋ  ｃｈａｎｎｅｌを通じて伝送する（Ｓ７４０）。
【０１６７】
（第３実施例）
第３実施例は、ＡＡＩ＿ＣＭ−ＣＭＤメッセージにフィードバックキャリアインデックス（Ｆｅｅｄｂａｃｋ  Ｃａｒｒｉｅｒ  Ｉｎｄｅｘ）フィールドを含んで端末に伝送することによって、ＤＬ  ｓｅｃｏｎｄａｒｙ  ｃａｒｒｉｅｒのフィードバックチャネルが割り当てられたキャリアを明示的に知らせる方法を提供する。
【０１６８】
基地局は、マルチキャリアモード（ＭＣ  ｍｏｄｅ）にある端末に対して、キャリア運営命令メッセージ（ＡＡＩ＿ＣＭ−ＣＭＤ）のようなＭＡＣ  ｃｏｎｔｒｏｌ  ｍｅｓｓａｇｅを伝送することによって、ｓｅｃｏｎｄａｒｙ  ｃａｒｒｉｅｒの活性化又は非活性化を指示する。
【０１６９】
ここで、基地局は、ｓｅｃｏｎｄａｒｙ  ｃａｒｒｉｅｒのダウンリンク及びアップリンク両方を活性化したり、ダウンリンクのみを活性化するように指示することができ、前記ｓｅｃｏｎｄａｒｙ  ｃａｒｒｉｅｒのダウンリンク及びアップリンク両方を非活性化したり、アップリンクのみを非活性化し、ダウンリンクは活性化を維持するように指示することができる。
【０１７０】
この場合、前記受信されたＣＭ−ＣＭＤメッセージを通じて、端末は、ＤＬ  ｕｎｐａｉｒｅｄ  ｃａｒｒｉｅｒであるｓｅｃｏｎｄａｒｙ  ｃａｒｒｉｅｒを有することができる。すなわち、端末は、ＤＬのみが活性化されたｓｅｃｏｎｄａｒｙ  ｃａｒｒｉｅｒを有することができる。
【０１７１】
したがって、基地局は、特定ｓｅｃｏｎｄａｒｙ  ｃａｒｒｉｅｒをＤＬ  ｏｎｌｙ  ａｃｔｉｖａｔｅｄ  ｃａｒｒｉｅｒまたはＤＬ／ＵＬ  ｄｅａｃｔｉｖａｔｅｄ  ｃａｒｒｉｅｒになるように指示するＣＭ−ＣＭＤメッセージを端末に伝送する場合、前記特定ｓｅｃｏｎｄａｒｙ  ｃａｒｒｉｅｒのフィードバック情報を伝送するためのｆｅｅｄｂａｃｋ  ｃａｒｒｉｅｒを指示するｆｅｅｄｂａｃｋ  ｃａｒｒｉｅｒ  ｉｎｄｅｘフィールドをＣＭ−ＣＭＤメッセージに含んで伝送する。
【０１７２】
下記の表２は、第３実施例に係るＡＡＩ＿ＣＭ−ＣＭＤメッセージのフォーマットの一例を示す。
【０１７３】
【表２−１】
0005639198.tif 000003
【０１７４】
【表２−２】
0005639198.tif 000004
【０１７５】
【表２−３】
0005639198.tif 000005
【０１７６】
表２を参照すると、ＣＭ−ＣＭＤメッセージは、Ａｃｔｉｖａｔｉｏｎ  ｏｆ  ＤＬ／ＵＬフィールドが‘１’に設定された場合（すなわち、活性化を指示したｓｅｃｏｎｄａｒｙ  ｃａｒｒｉｅｒのダウンリンクのみ活性化を指示した場合）、前記ダウンリンクのみ活性化された第２のキャリアのｆｅｅｄｂａｃｋ  ｃｈａｎｎｅｌが割り当てられたｃａｒｒｉｅｒを指示するＦｅｅｄｂａｃｋ  Ｃａｒｒｉｅｒ  Ｉｎｄｅｘフィールドを含む。
【０１７７】
前記Ｆｅｅｄｂａｃｋ  Ｃａｒｒｉｅｒ  Ｉｎｄｅｘフィールドは、ＵＬ  ｆｅｅｄｂａｃｋ  ｃｈａｎｎｅｌが割り当てられたキャリアのｌｏｇｉｃａｌ  ｃａｒｒｉｅｒ  ｉｎｄｅｘまたはｐｈｙｓｉｃａｌ  ｃａｒｒｉｅｒ  ｉｎｄｅｘを示す。
【０１７８】
また、前記Ｆｅｅｄｂａｃｋ  Ｃａｒｒｉｅｒ  Ｉｎｄｅｘが指示するｆｅｅｄｂａｃｋ  ｃａｒｒｉｅｒは、端末の活性キャリア（ａｃｔｉｖｅ  ｃａｒｒｉｅｒ）のうち一つに該当し、前記ｆｅｅｄｂａｃｋ  ｃａｒｒｉｅｒは、端末のｐｒｉｍａｒｙ  ｃａｒｒｉｅｒであってもよい。
【０１７９】
また、ＣＭ−ＣＭＤメッセージは、Ｆｅｅｄｂａｃｋ  Ｃａｒｒｉｅｒ  Ｉｎｄｅｘが存在するか否かを指示するＦｅｅｄｂａｃｋ  Ｃａｒｒｉｅｒ  Ｆｌａｇフィールドを含む。
【０１８０】
一例として、Ｆｅｅｄｂａｃｋ  Ｃａｒｒｉｅｒ  ＦＬＡＧが‘０’に設定された場合、Ｆｅｅｄｂａｃｋ  Ｃａｒｒｉｅｒ  ＩｎｄｅｘはＣＭ−ＣＭＤメッセージに含まれないことを示し、‘１’に設定された場合、Ｆｅｅｄｂａｃｋ  Ｃａｒｒｉｅｒ  ＩｎｄｅｘがＣＭ−ＣＭＤメッセージに含まれることを示す。
【０１８１】
ここで、ＣＭ−ＣＭＤメッセージに含まれたＤｅａｃｔｉｖａｔｉｏｎ  ｏｆ  ＤＬ／ＵＬフィールドが‘１’に設定された場合（すなわち、非活性化を指示したｓｅｃｏｎｄａｒｙ  ｃａｒｒｉｅｒのアップリンクは非活性化し、ダウンリンクの活性化は維持するように指示する場合）、前記Ｆｅｅｄｂａｃｋ  Ｃａｒｒｉｅｒ  Ｆｌａｇは常に‘１’に設定される。
【０１８２】
また、非活性化が指示された対象キャリア（ｔａｒｇｅｔ  ｃａｒｒｉｅｒ）がＤＬ／ＵＬ両方とも活性化されたキャリアであり、任意のｕｎｐａｉｒｅｄ  ＤＬ  ｃａｒｒｉｅｒ（ダウンリンクのみが活性化されたキャリア）にリンクされていると、前記リンクされたＤＬ  ｃａｒｒｉｅｒに対するｆｅｅｄｂａｃｋ  ｃａｒｒｉｅｒは、ｆｅｅｄｂａｃｋ  Ｃａｒｒｉｅｒ  Ｉｎｄｅｘフィールド（Ｆｅｅｄｂａｃｋ  Ｃａｒｒｉｅｒ  Ｆｌａｇが‘１’に設定された場合、含まれるＦｅｅｄｂａｃｋ  Ｃａｒｒｉｅｒ  Ｉｎｄｅｘフィールド）に示された値にアップデートされる。この場合、Ｆｅｅｄｂａｃｋ  Ｃａｒｒｉｅｒ  ＦＬＡＧは‘１’に設定される。
【０１８３】
すなわち、Ｆｅｅｄｂａｃｋ  Ｃａｒｒｉｅｒ  Ｆｌａｇが‘１’に設定された場合、前記ＣＭ−ＣＭＤメッセージは、ＵＬ  ｆｅｅｄｂａｃｋ  ｃｈａｎｎｅｌが割り当てられるキャリアを指示するＦｅｅｄｂａｃｋ  Ｃａｒｒｉｅｒ  Ｉｎｄｅｘフィールドを含む。この場合、前記Ｆｅｅｄｂａｃｋ  Ｃａｒｒｉｅｒ  Ｉｎｄｅｘはｌｏｇｉｃａｌ  ｃａｒｒｉｅｒ  ｉｎｄｅｘまたはｐｈｙｓｉｃａｌ  ｃａｒｒｉｅｒ  ｉｎｄｅｘであってもよい。
【０１８４】
また、前記ｆｅｅｄｂａｃｋ  ｃａｒｒｉｅｒは端末のａｃｔｉｖｅ  ｃａｒｒｉｅｒのうち一つに該当し、ｐｒｉｍａｒｙ  ｃａｒｒｉｅｒであってもよい。
【０１８５】
以下では、ダウンリンクのみが活性化状態であるｓｅｃｏｎｄａｒｙ  ｃａｒｒｉｅｒのフィードバック情報を、Ｆｅｅｄｂａｃｋ  Ｃａｒｒｉｅｒ  Ｉｎｄｅｘフィールドによって指示されたキャリアを通じて基地局に伝送する方法について図面と共に具体的に説明する。
【０１８６】
基地局がＣＭ−ＣＭＤメッセージを通じて、端末のｓｅｃｏｎｄａｒｙ  ｃａｒｒｉｅｒをＤＬ  ｏｎｌｙ  ａｃｔｉｖａｔｅｄ  ｃａｒｒｉｅｒとなるように指示した場合、ターゲット（ｔａｒｇｅｔ）  ＤＬ  ｏｎｌｙ  ａｃｔｉｖａｔｅｄ  ｃａｒｒｉｅｒに対するＵＬ  ｆｅｅｄｂａｃｋ  ｃｈａｎｎｅｌが割り当てられるｃａｒｒｉｅｒのｉｎｄｅｘを知らせるＦｅｅｄｂａｃｋ  Ｃａｒｒｉｅｒ  Ｉｎｄｅｘフィールドを前記ＣＭ−ＣＭＤメッセージに含めて端末に伝送する。
【０１８７】
ここで、前記Ｆｅｅｄｂａｃｋ  Ｃａｒｒｉｅｒ  Ｉｎｄｅｘフィールドは、ＡＡＩ＿ＣＭ−ＣＭＤメッセージ以外にも、他のＭＡＣ  ｃｏｎｔｒｏｌメッセージに含まれて伝送され得る。
【０１８８】
すなわち、基地局は、端末に第２のキャリアのダウンリンクのみを活性化するように指示する場合に、前記第２のキャリアに対するｆｅｅｄｂａｃｋ  ｃｈａｎｎｅｌが割り当てられたキャリアを指示するＦｅｅｄｂａｃｋ  Ｃａｒｒｉｅｒ  ＩｎｄｅｘフィールドをＣＭ−ＣＭＤメッセージに含んで端末に伝送する。
【０１８９】
１．ダウンリンクは活性化され、アップリンクは活性化されていないｓｅｃｏｎｄａｒｙ  ｃａｒｒｉｅｒのダウンリンクに対するフィードバック情報の伝送方法。
【０１９０】
第１の方法は、基地局から伝送されるＣＭ−ＣＭＤメッセージによって特定ｓｅｃｏｎｄａｒｙ  ｃａｒｒｉｅｒの活性化を指示し、ダウンリンクのみ活性化を指示する場合、前記ダウンリンクのみが活性化されたｓｅｃｏｎｄａｒｙ  ｃａｒｒｉｅｒのｆｅｅｄｂａｃｋ情報をＦｅｅｄｂａｃｋ  Ｃａｒｒｉｅｒ  Ｉｎｄｅｘが指示するｓｅｃｏｎｄａｒｙ  ｃａｒｒｉｅｒを通じて伝送する方法である。
【０１９１】
図８は、本明細書の第３実施例の第１の方法によるｓｅｃｏｎｄａｒｙ  ｃａｒｒｉｅｒのダウンリンクフィードバック情報を伝送する方法を示す図である。
【０１９２】
まず、端末は基地局と論理搬送波インデックス（Ｌｏｇｉｃａｌ  Ｃａｒｒｉｅｒ  Ｉｎｄｅｘ：ＬＣＩ）０にマッピングされるｐｒｉｍａｒｙ  ｃａｒｒｉｅｒ及び論理搬送波インデックス（Ｌｏｇｉｃａｌ  Ｃａｒｒｉｅｒ  Ｉｎｄｅｘ：ＬＣＩ）１，２，３にそれぞれマッピングされる３個のｓｅｃｏｎｄａｒｙ  ｃａｒｒｉｅｒを通じて、制御情報及びデータを送受信できると仮定する。
【０１９３】
ここで、ＬＣＩは、そのインデックスにより指示される搬送波（ｃａｒｒｉｅｒ）を称する。ここで、ｐｒｉｍａｒｙ  ｃａｒｒｉｅｒ及びｓｅｃｏｎｄａｒｙ  ｃａｒｒｉｅｒはそれぞれＬＣＩだけでなく、物理搬送波インデックス（Ｐｈｙｓｉｃａｌ  Ｃａｒｒｉｅｒ  Ｉｎｄｅｘ：ＰＣＩ）により称されてもよい。
【０１９４】
図８を参照すると、基地局からＣＭ−ＣＭＤメッセージを受信する前には、ＬＣＩ  １，３に該当するｓｅｃｏｎｄａｒｙ  ｃａｒｒｉｅｒは非活性状態である。
【０１９５】
基地局は、ｐｒｉｍａｒｙ  ｃａｒｒｉｅｒを通じて、端末にＬＣＩ  ３であるｓｅｃｏｎｄａｒｙ  ｃａｒｒｉｅｒの活性化を指示するが、前記ｓｅｃｏｎｄａｒｙ  ｃａｒｒｉｅｒのダウンリンクは活性化し、アップリンクは非活性化を指示するＣＭ−ＣＭＤメッセージを端末に伝送する（Ｓ８１０）。
【０１９６】
この場合、前記ＣＭ−ＣＭＤメッセージは、前記ＬＣＩ  ３のアップリンクが非活性化されているので、前記ＬＣＩ  ３のダウンリンクｆｅｅｄｂａｃｋ  ｃｈａｎｎｅｌが割り当てられたｆｅｅｄｂａｃｋ  ｃａｒｒｉｅｒを指示するＦｅｅｄｂａｃｋ  Ｃａｒｒｉｅｒ  Ｉｎｄｅｘを含む。
【０１９７】
図８を参照すると、前記ｆｅｅｄｂａｃｋ  Ｃａｒｒｉｅｒ  ＩｎｄｅｘはＬＣＩ  ２を指示することが分る。
【０１９８】
ここで、端末は、前記ＣＭ−ＣＭＤメッセージによってＬＣＩ  ３のダウンリンクのみを活性化させ、前記活性化準備が完了したことを知らせるＣＭ−ＩＮＤメッセージをｐｒｉｍａｒｙ  ｃａｒｒｉｅｒを通じて基地局に伝送する（Ｓ８２０）。
【０１９９】
次に、端末が、ダウンリンクのみが活性化されたＬＣＩ  ３を通じて、Ｆｅｅｄｂａｃｋ  Ａｌｌｏｃａｔｉｏｎ  Ａ−ＭＡＰ  ＩＥを受信する場合（Ｓ８３０）、前記ＬＣＩ  ３に対するフィードバック情報は、Ｆｅｅｄｂａｃｋ  Ｃａｒｒｉｅｒ  Ｉｎｄｅｘが指示するＬＣＩ  ２のＵＬ  ｆｅｅｄｂａｃｋ  ｃｈａｎｎｅｌを通じて基地局に伝送する（Ｓ８４０）。
【０２００】
２．アップリンクは非活性化されたが、ダウンリンクは非活性化されていないｓｅｃｏｎｄａｒｙ  ｃａｒｒｉｅｒのダウンリンクに対するフィードバック情報の伝送方法。
【０２０１】
第２の方法は、基地局から伝送されるＣＭ−ＣＭＤメッセージにより特定ｓｅｃｏｎｄａｒｙ  ｃａｒｒｉｅｒの非活性化を指示するが、アップリンクのみ非活性化を指示する場合、前記ダウンリンクのみが活性化されたｓｅｃｏｎｄａｒｙ  ｃａｒｒｉｅｒのｆｅｅｄｂａｃｋ情報を、Ｆｅｅｄｂａｃｋ  Ｃａｒｒｉｅｒ  Ｉｎｄｅｘが指示するｓｅｃｏｎｄａｒｙ  ｃａｒｒｉｅｒを通じて伝送する方法である。
【０２０２】
この場合、前記ＣＭ−ＣＭＤメッセージは、Ｆｅｅｄｂａｃｋ  Ｃａｒｒｉｅｒ  Ｉｎｄｅｘフィールドが存在するかを指示するＦｅｅｄｂａｃｋ  Ｃａｒｒｉｅｒ  Ｆｌａｇフィールドをさらに含む。
【０２０３】
図９は、本明細書の第３実施例の第２の方法によるｓｅｃｏｎｄａｒｙ  ｃａｒｒｉｅｒのダウンリンクフィードバック情報を伝送する方法を示す図である。
【０２０４】
図８と同様に、ｐｒｉｍａｒｙ  ｃａｒｒｉｅｒはＬＣＩ  ０にマッピングされ、それぞれのｓｅｃｏｎｄａｒｙ  ｃａｒｒｉｅｒはＬＣＩ  １，２，３にマッピングされている。
【０２０５】
基地局は、ｐｒｉｍａｒｙ  ｃａｒｒｉｅｒを通じて、端末にＬＣＩ  ３の非活性化を指示するが、前記ＬＣＩ  ３のアップリンクは非活性化し、ダウンリンクは非活性化しないように指示するＣＭ−ＣＭＤメッセージを端末に伝送する（Ｓ９１０）。
【０２０６】
この場合、前記ＣＭ−ＣＭＤメッセージは、Ｆｅｅｄｂａｃｋ  Ｃａｒｒｉｅｒ  Ｉｎｄｅｘが含まれているか否かを示すＦｅｅｄｂａｃｋ  Ｃａｒｒｉｅｒ  Ｆｌａｇフィールドをさらに含み、前記Ｆｅｅｄｂａｃｋ  Ｃａｒｒｉｅｒ  Ｆｌａｇフィールドが指示する値によってＦｅｅｄｂａｃｋ  Ｃａｒｒｉｅｒ  Ｉｎｄｅｘフィールドをさらに含む。
【０２０７】
図９を参照すると、Ｆｅｅｄｂａｃｋ  Ｃａｒｒｉｅｒ  Ｆｌａｇは‘１’に設定されており（すなわち、Ｆｅｅｄｂａｃｋ  Ｃａｒｒｉｅｒ  Ｉｎｄｅｘが含まれていることを指示）、非活性化が指示されたＬＣＩ  ３のダウンリンクフィードバック情報が伝送されるｆｅｅｄｂａｃｋ  ｃａｒｒｉｅｒが、Ｆｅｅｄｂａｃｋ  Ｃａｒｒｉｅｒ  Ｉｎｄｅｘが指示するＬＣＩ  ２であることが分かる。
【０２０８】
端末は、前記受信されたＣＭ−ＣＭＤメッセージによって、ＬＣＩ  ３のアップリンクのみを非活性化させ、前記ＬＣＩ  ３のアップリンクが非活性化準備が完了したことを知らせるＣＭ−ＩＮＤメッセージをｐｒｉｍａｒｙ  ｃａｒｒｉｅｒを通じて基地局に伝送する（Ｓ９２０）。
【０２０９】
次に、端末は、ダウンリンクのみが活性化されたＬＣＩ  ３を通じてＦｅｅｄｂａｃｋ  Ａｌｌｏｃａｔｉｏｎ  Ａ−ＭＡＰ  ＩＥを受信する場合（Ｓ９３０）、ＬＣＩ  ２であるｓｅｃｏｎｄａｒｙ  ｃａｒｒｉｅｒのＵＬ  ｆｅｅｄｂａｃｋ  ｃｈａｎｎｅｌを通じて前記ＬＣＩ  ３に対するフィードバック情報を基地局に伝送する（Ｓ９４０）。
【０２１０】
３．Ｕｎｐａｉｒｅｄ  ｃａｒｒｉｅｒに対するｆｅｅｄｂａｃｋ  ｃｈａｎｎｅｌをアップデートするための方法
第３の方法は、基地局から伝送されるＣＭ−ＣＭＤメッセージにより特定ｓｅｃｏｎｄａｒｙ  ｃａｒｒｉｅｒの非活性化を指示するが、前記非活性化されたｓｅｃｏｎｄａｒｙ  ｃａｒｒｉｅｒのＵＬと任意のｕｎｐａｉｒｅｄ  ｃａｒｒｉｅｒのＤＬとがリンケージが設定された場合、前記任意のｕｎｐａｉｒｅｄ  ｃａｒｒｉｅｒのダウンリンクフィードバック情報を、ＣＭ−ＣＭＤメッセージに含まれたＦｅｅｄｂａｃｋ  Ｃａｒｒｉｅｒ  Ｉｎｄｅｘが指示するｆｅｅｄｂａｃｋ  ｃａｒｒｉｅｒを通じて伝送する方法を提供する。
【０２１１】
すなわち、前記任意のｕｎｐａｉｒｅｄ  ｃａｒｒｉｅｒのｆｅｅｄｂａｃｋ  ｃｈａｎｎｅｌを、ＣＭ−ＣＭＤメッセージに含まれたＦｅｅｄｂａｃｋ  Ｃａｒｒｉｅｒ  Ｉｎｄｅｘが指示するｃａｒｒｉｅｒのｆｅｅｄｂａｃｋ  ｃｈａｎｎｅｌにアップデートする方法を提供する。
【０２１２】
この場合、前記ＣＭ−ＣＭＤメッセージは、Ｆｅｅｄｂａｃｋ  Ｃａｒｒｉｅｒ  Ｉｎｄｅｘフィールドが存在するかを指示するＦｅｅｄｂａｃｋ  Ｃａｒｒｉｅｒ  Ｆｌａｇフィールドをさらに含む。
【０２１３】
図１０は、本明細書の第３実施例の第３の方法によるｓｅｃｏｎｄａｒｙ  ｃａｒｒｉｅｒのダウンリンクフィードバック情報を伝送する方法を示す図である。
【０２１４】
図８と同様に、ｐｒｉｍａｒｙ  ｃａｒｒｉｅｒはＬＣＩ  ０にマッピングされ、それぞれのｓｅｃｏｎｄａｒｙ  ｃａｒｒｉｅｒはＬＣＩ  １，２，３にそれぞれマッピングされている。
【０２１５】
図１０に示すように、基地局からＣＭ−ＣＭＤメッセージを受信する前には、ＬＣＩ  １に該当するｓｅｃｏｎｄａｒｙ  ｃａｒｒｉｅｒは非活性状態であり、ＬＣＩ  ２に該当するｓｅｃｏｎｄａｒｙ  ｃａｒｒｉｅｒはＤＬ／ＵＬ両方とも活性化状態であり、ＬＣＩ  ３に該当するｓｅｃｏｎｄａｒｙ  ｃａｒｒｉｅｒはダウンリンクのみ活性化状態である。
【０２１６】
また、ＬＣＩ  ３のダウンリンクとＬＣＩ  ２のアップリンクはリンケージが設定されていることが分る。
【０２１７】
基地局がｐｒｉｍａｒｙ  ｃａｒｒｉｅｒを通じて、ＬＣＩ  ２の非活性化を指示するＣＭ−ＣＭＤメッセージを端末に伝送する場合、前記ＬＣＩ  ３のダウンリンクに対するｆｅｅｄｂａｃｋ  ｃｈａｎｎｅｌに対してアップデートを行うために、前記ＣＭ−ＣＭＤメッセージは、Ｆｅｅｄｂａｃｋ  Ｃａｒｒｉｅｒ  Ｉｎｄｅｘが含まれることを指示するｆｅｅｄｂａｃｋ  ｃａｒｒｉｅｒ  ｆｌａｇフィールドを含み（すなわち、ｆｅｅｄｂａｃｋ  ｃａｒｒｉｅｒ  ｆｌａｇフィールドが‘１’に設定され）、前記ＬＣＩ  ３のダウンリンクフィードバック情報の伝送のためのｆｅｅｄｂａｃｋ  ｃａｒｒｉｅｒを指示するｆｅｅｄｂａｃｋ  Ｃａｒｒｉｅｒ  Ｉｎｄｅｘフィールドを含む（Ｓ１０１０）。
【０２１８】
図１０に示すように、前記Ｆｅｅｄｂａｃｋ  Ｃａｒｒｉｅｒ  ＩｎｄｅｘはＬＣＩ  ０であるｐｒｉｍａｒｙ  ｃａｒｒｉｅｒを指示する。
【０２１９】
前記基地局から受信されたＣＭ−ＣＭＤメッセージによって、ＬＣＩ  ３のＤＬとリンケージが設定されたＬＣＩ  ２が非活性化されたので、端末は、前記ＬＣＩ  ３のダウンリンクに対するｆｅｅｄｂａｃｋ  ｃｈａｎｎｅｌを、前記ＣＭ−ＣＭＤメッセージに含まれたＦｅｅｄｂａｃｋ  Ｃａｒｒｉｅｒ  Ｉｎｄｅｘが指示するｆｅｅｄｂａｃｋ  ｃａｒｒｉｅｒのｆｅｅｄｂａｃｋ  ｃｈａｎｎｅｌにアップデートを行う。
【０２２０】
端末が前記ＬＣＩ  ３を通じてＦｅｅｄｂａｃｋ  Ａｌｌｏｃａｔｉｏｎ  Ａ−ＭＡＰ  ＩＥを受信した場合（Ｓ１０３０）、前記ＬＣＩ  ３のダウンリンクフィードバック情報を、前記ＣＭ−ＣＭＤメッセージに含まれたＦｅｅｄｂａｃｋ  Ｃａｒｒｉｅｒ  Ｉｎｄｅｘが指示するｐｒｉｍａｒｙ  ｃａｒｒｉｅｒ（ＬＣＩ  ０）のＵＬ  ｆｅｅｄｂａｃｋ  ｃｈａｎｎｅｌを通じて基地局に伝送する（Ｓ１０４０）。
【０２２１】
すなわち、端末は、前記ＬＣＩ  ３のフィードバック情報を、前記ｆｅｅｄｂａｃｋ  Ｃａｒｒｉｅｒ  Ｉｎｄｅｘが指示するＬＣＩ  ０（ｐｒｉｍａｒｙ  ｃａｒｒｉｅｒ）を通じて基地局に伝送する。
【０２２２】
また、端末は、前記ＣＭ−ＣＭＤメッセージによってＬＣＩ  ２を非活性化させ、前記ＬＣＩ  ２の非活性化が準備されたことを知らせるＣＭ−ＩＮＤメッセージをｐｒｉｍａｒｙ  ｃａｒｒｉｅｒを通じて、基地局に伝送する（Ｓ１０２０）。
【０２２３】
本明細書に記載したように、ＤＬ  ｏｎｌｙ  ａｃｔｉｖａｔｅｄ  ｃａｒｒｉｅｒに対するＵＬ  Ｆｅｅｄｂａｃｋ情報を他の割り当てキャリア（ｐｒｉｍａｒｙ  ｃａｒｒｉｅｒ又はｓｅｃｏｎｄａｒｙ  ｃａｒｒｉｅｒ）を通じて伝送する中に、前記ＵＬ  ｆｅｅｄｂａｃｋ  ｉｎｆｏｒｍａｔｉｏｎを伝送していたｃａｒｒｉｅｒがｄｅａｃｔｉｖａｔｉｏｎされる場合、該当のｃａｒｒｉｅｒのＵＬ  ｆｅｅｄｂａｃｋ  ｒｅｇｉｏｎに割り当てられたＵＬ  ｆｅｅｄｂａｃｋ  ｃｈａｎｎｅｌは自動的にｄｅａｌｌｏｃａｔｉｏｎされる。
【０２２４】
この場合、基地局は、該当のｃａｒｒｉｅｒに対するＵＬ  ｆｅｅｄｂａｃｋ  ｃｈａｎｎｅｌを、Ａ−ＭＡＰを通じて新しく割り当てることが好ましい。
【０２２５】
以下で、本明細書のさらに他の一実施例として、非活性キャリア（ｉｎａｃｔｉｖｅ  ｃａｒｒｉｅｒ）に対するＣＩＮＲまたはＣＱＩ（ＤＬ  ｃａｒｒｉｅｒに対するｆｅｅｄｂａｃｋ情報）を伝送するための方法について説明する。
【０２２６】
（非活性キャリア（ｉｎａｃｔｉｖｅ  ｃａｒｒｉｅｒ）に対するＣＩＮＲ  ｒｅｐｏｒｔ）
端末は、基地局から割り当てられたキャリア（ａｓｓｉｇｎｅｄ  ｃａｒｒｉｅｒ）のうち、下記のような方式を通じて非活性キャリア（ｉｎａｃｔｉｖｅ  ｃａｒｒｉｅｒ）に対するＣＩＮＲ  ｒｅｐｏｒｔを可能なようにすることができる。
【０２２７】
１．ＭＡＣ  ｌｅｖｅｌ  ｍｅｓｓａｇｅ利用：ｍｕｌｔｉｐｌｅ  ｃａｒｒｉｅｒのＤＬ  ＣＩＮＲ  ｒｅｐｏｒｔｉｎｇのためのＭＡＣ  ｃｏｎｔｒｏｌ  ｍｅｓｓａｇｅ／Ｅｘｔｅｎｄｅｄ  Ｈｅａｄｅｒの定義
２．Ａｓｓｉｇｎｅｄ  ｃａｒｒｉｅｒのためのＦｅｅｄｂａｃｋ  ａｌｌｏｃａｔｉｏｎ  Ａ−ＭＡＰ  ＩＥの定義
：ＣＩＮＲ  ｒｅｐｏｒｔｉｎｇを要求するｉｎａｃｔｉｖｅ  ｃａｒｒｉｅｒは、基地局が、端末のｎｅｔｗｏｒｋ  ｅｎｔｒｙ又はセカンダリキャリア割り当て（ｓｅｃｏｎｄａｒｙ  ｃａｒｒｉｅｒ  ａｓｓｉｇｎｍｅｎｔ）時に指示（ｉｎｄｉｃａｔｉｏｎ）することができる。
【０２２８】
また、基地局は、マルチキャリア応答メッセージ（ＡＡＩ＿ＭＣ−ＲＳＰ  ｍｅｓｓａｇｅ）を通じてＣＩＮＲ  ｒｅｐｏｒｔｉｎｇが必要なｃａｒｒｉｅｒを端末に指示することができる。
【０２２９】
（Ｍｕｌｔｉｐｌｅ  ｓｅｃｏｎｄａｒｙ  ｃａｒｒｉｅｒ（ｓ）のＤＬ  ＣＩＮＲ  ｒｅｐｏｒｔｉｎｇのためのＭＡＣ  ｃｏｎｔｒｏｌ  ｍｅｓｓａｇｅ／ＥＨの定義）
ＣＩＮＲ  ｒｅｐｏｒｔｉｎｇ  ｔｙｐｅのＭＡＣ  ｃｏｎｔｒｏｌ  ｍｅｓｓａｇｅが定義され、端末は、（ＢＲを通じて）ｕｎｓｏｌｉｃｉｔｅｄ  ＭＡＣ  ｃｏｎｔｒｏｌ  ｍｅｓｓａｇｅ伝送、または（ｐｉｇｇｙｂａｃｋｅｄ形式で）基地局に伝送されるＭＡＣ  ＰＤＵに拡張ヘッダ（ＥＨ）でＣＩＮＲを基地局にｒｅｐｏｒｔすることができる。
【０２３０】
上記のようなＣＩＮＲ  Ｒｅｐｏｒｔｉｎｇのためのメッセージとして、下記のようなものを例に挙げることができるが、これに限定されない。
【０２３１】
１−（１）ＤＬ  ＣＩＮＲ  Ｒｅｐｏｒｔ  Ｅｘｔｅｎｄｅｄ  Ｈｅａｄｅｒ（ＤＬ  ＣＩＮＲ  ＥＨ）
１−（２）ＤＬ  ＣＩＮＲ  Ｒｅｐｏｒｔ  ｃｏｎｔｒｏｌ  ｍｅｓｓａｇｅ（ＡＡＩ＿ＣＩＮＲ−ＲＥＰ）
１−（３）既存のＭＡＣ  ｃｏｎｔｒｏｌ  ｍｅｓｓａｇｅ（ＡＡＩ＿ＣＭ−ＩＮＤ  ｏｒ  ＡＡＩ＿ＳＣＮ−ＲＥＰ  ｏｒ．．）利用
前記でのＭＡＣ  ｃｏｎｔｒｏｌメッセージまたはＥＨは、ｏｎｅ  ｏｒ  ｍｏｒｅ  ｔａｒｇｅｔ  ｓｅｃｏｎｄａｒｙ  ｃａｒｒｉｅｒ（ｓ）と該当のｃａｒｒｉｅｒに対するＣＩＮＲ値を含むことができる。
【０２３２】
（Ｎｕｍｂｅｒ  ｏｆ  ＤＬ  ｃａｒｒｉｅｒ）
Ｆｏｒ（ｉ＝０；ｉ＜Ｎｕｍｂｅｒ  ｏｆ  ＤＬ  ｃａｒｒｉｅｒ；ｉ＋＋）｛
−（ＤＬ  ｃａｒｒｉｅｒ  ｉｎｄｅｘ）（ｌｏｇｉｃａｌ  ｃａｒｒｉｅｒ  ｉｎｄｅｘ  ｏｒ  ｐｈｙｓｉｃａｌ  ｃａｒｒｉｅｒ  ｉｎｄｅｘ）
−（ＣＩＮＲ）｝
ここで、ＣＩＮＲをｒｅｐｏｒｔするｃａｒｒｉｅｒの選択は、端末が適宜選択した後、基地局にｒｅｐｏｒｔｉｎｇしたり、または基地局がａｓｓｉｇｎｅｄ  ｃａｒｒｉｅｒを端末に割り当てるとき、チャネル状態をモニタリングしなければならないｃａｒｒｉｅｒのｉｎｄｅｘをｉｎｄｉｃａｔｉｏｎすることができ、この場合、下記のようなメッセージを使用してもよい。
【０２３３】
２−（１）ＡＡＩ＿ＭＣ−ＲＳＰ  ｍｅｓｓａｇｅ：Ａｓｓｉｇｎｅｄ  ｃａｒｒｉｅｒを割り当てりながらｉｎｄｉｃａｔｉｏｎ
２−（２）ＡＡＩ＿ＣＭ−ＣＭＤ  ｍｅｓｓａｇｅ：Ａｃｔｉｏｎ  ｃｏｄｅを追加してＣＩＮＲ  ｒｅｐｏｒｔｉｎｇのためのａｃｔｉｏｎを追加してもよい
２−（３）新しい拡張ヘッダ（Ｅｘｔｅｎｄｅｄ  Ｈｅａｄｅｒ：ＥＨ）またはｃｏｎｔｒｏｌ  ｍｅｓｓａｇｅの定義：ＤＬ＿ＣＩＮＲ＿ＲＥＱ＿ＥＨまたはＤＬ  ＣＩＮＲ  ＲＥＱ  ｃｏｎｔｒｏｌ  ｍｅｓｓａｇｅを定義して明示的（ｅｘｐｌｉｃｉｔｌｙ）にｉｎｄｉｃａｔｉｏｎ
（ＤＬ  ＣＩＮＲ  Ｒｅｐｏｒｔ  Ｅｘｔｅｎｄｅｄ  Ｈｅａｄｅｒ（ＤＬ＿ＣＩＮＲ＿ＥＨ））
ＤＬ＿ＣＩＮＲ＿ＥＨは、周期的（ｐｅｒｉｏｄｉｃ）またはイベントトリガー（ｅｖｅｎｔ−ｔｒｉｇｇｅｒｅｄ）形式で端末によって伝送され得る。
【０２３４】
ここで、端末が基地局に伝送するアップリンクデータ（ＵＬ  ｄａｔａ）があれば、ＥＨを通じて伝送され、そうでない場合は、ｃｏｎｔｒｏｌ  ｍｅｓｓａｇｅを通じて伝送され得る。
【０２３５】
前記ＤＬ＿ＣＩＮＲ＿ＥＨで伝送されるＤＬ  ｃａｒｒｉｅｒは、基地局によって選択されてもよく、端末が任意に選択して伝送してもよい。
【０２３６】
【表３】
0005639198.tif 000006
【０２３７】
（ＤＬ  ＣＩＮＲ  Ｒｅｐｏｒｔ  ｃｏｎｔｒｏｌ  ｍｅｓｓａｇｅ（ＡＡＩ＿ＣＩＮＲ−ＲＥＰ））
このメッセージは、ｐｅｒｉｏｄｉｃ  ｏｒ  ｅｖｅｎｔ−ｔｒｉｇｇｅｒｅｄ形式で端末によって伝送され得る。
【０２３８】
ここでも、同様に、端末が基地局に伝送するアップリンクデータ（ＵＬ  ｄａｔａ）があれば、ＥＨを通じて伝送され、そうでない場合は、ｃｏｎｔｒｏｌ  ｍｅｓｓａｇｅを通じて伝送される得る。
【０２３９】
このメッセージで伝送されるＤＬ  ｃａｒｒｉｅｒは、基地局によって選択されてもよく、または端末が任意に選択して伝送してもよい。
【０２４０】
【表４】
0005639198.tif 000007
【０２４１】
（既存のＭＡＣ  ｃｏｎｔｒｏｌ  ｍｅｓｓａｇｅ（ＡＡＩ＿ＣＭ−ＩＮＤ  ｏｒ  ＡＡＩ＿ＳＣＮ−ＲＥＰ  ｏｒ．．）利用）
下記の表５は、ＤＬ  ＣＩＮＲ  ｒｅｐｏｒｔｉｎｇのためのメッセージとして、ＡＡＩ＿ＣＭ−ＩＮＤメッセージが使用される場合を示す表である。
【０２４２】
【表５】
0005639198.tif 000008
【０２４３】
Ａｓｓｉｇｎｅｄ  ｃａｒｒｉｅｒのためのｆｅｅｄｂａｃｋ  ａｌｌｏｃａｔｉｏｎ  Ａ−ＭＡＰ  ＩＥの定義
Ｆｅｅｄｂａｃｋ  Ａｌｌｏｃａｔｉｏｎ  Ａ−ＭＡＰ  ＩＥの最初のフィールドとして、ｐｈｙｓｉｃａｌ  ｃａｒｒｉｅｒ  ｉｎｄｅｘを常にｉｎｄｉｃａｔｉｏｎする。
【０２４４】
下記の表６は、本明細書の一実施例に係るＦｅｅｄｂａｃｋ  Ａｌｌｏｃａｔｉｏｎ  Ａ−ＭＡＰ  ＩＥの一例を示す表である。
【０２４５】
【表６】
0005639198.tif 000009
【０２４６】
ＣＩＮＲ  ｒｅｐｏｒｔｉｎｇを要求するｉｎａｃｔｉｖｅ  ｃａｒｒｉｅｒは、基地局が端末のｎｅｔｗｏｒｋ  ｅｎｔｒｙまたはｓｅｃｏｎｄａｒｙ  ｃａｒｒｉｅｒ  ａｓｓｉｇｎｍｅｎｔ時にｉｎｄｉｃａｔｉｏｎすることができる。
【０２４７】
下記の表７は、ｉｎａｃｔｉｖｅ  ｃａｒｒｉｅｒに対するＤＬ  ＣＩＮＲ  ｒｅｐｏｒｔを指示するフィールドを含むＡＡＩ＿ＭＣ−ＲＳＰ  ｍｅｓｓａｇｅフォーマットの一例を示す表である。
【０２４８】
【表７】
0005639198.tif 000010
【０２４９】
図１１は、本明細書の一実施例に係る無線通信システムを示すブロック図である。
【０２５０】
基地局１１１０は、制御部１１１１、メモリ１１１２及び無線通信（ＲＦ）部（ｒａｄｉｏ  ｆｒｅｑｕｅｎｃｙ  ｕｎｉｔ）１１１３を含む。
【０２５１】
制御部１１１１は、提案された機能、過程及び／又は方法を具現する。無線インタフェースプロトコルの層は、制御部１１１１により具現することができる。
【０２５２】
制御部１１１１は、ダウンリンクのみが活性化されたセカンダリキャリアのフィードバック情報を、プライマリキャリアのアップリンクフィードバックチャネルまたはフィードバックキャリアインデックスが指示するフィードバックキャリアを通じて伝送できるように制御することができる。
【０２５３】
メモリ１１１２は、制御部１１１１と接続され、多重搬送波運営のためのプロトコルやパラメータを格納する。ＲＦ部１１１３は、制御部１１１１と接続され、無線信号を送信及び／又は受信する。
【０２５４】
端末１１２０は、制御部１１２１、メモリ１１２２及び無線通信（ＲＦ）部１１２３を含む。
【０２５５】
制御部１１２１は、提案された機能、過程及び／又は法を具現する。無線インタフェースプロトコルの層は制御部１１２１により具現することができる。
【０２５６】
制御部１１２１は、ダウンリンクのみが活性化されたセカンダリキャリアのフィードバック情報を、プライマリキャリアのアップリンクフィードバックチャネルまたはフィードバックキャリアインデックスが指示するフィードバックキャリアを通じて伝送できるように制御することができる。
【０２５７】
メモリ１１１２は、制御部１１２１と接続され、多重搬送波運営のためのプロトコルやパラメータを格納する。ＲＦ部１１１３は、制御部１１２１と接続され、無線信号を送信及び／又は受信する。
【０２５８】
制御部１１１１，１１２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１１１２，１１２２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１１１３，１１２３は、無線信号を処理するためのベースバンド回路を含むことができる。実施例がソフトウェアで具現されるとき、上述した技法は、上述した機能を行うモジュール（過程、機能など）で具現され得る。モジュールは、メモリ１１１２，１１２２に格納され、制御部１１１１，１１２１により実行され得る。メモリ１１１２，１１２２は、制御部１１１１，１１２１の内部又は外部にあってもよく、よく知らされた多様な手段で制御部１１１１，１１２１と接続され得る。
【符号の説明】
【０２５９】
１１００    無線通信システム
１１１０    基地局
１１２０    端末
１１１１，１１２１    制御部
１１１２，１１２２    メモリ
１１１３，１１２３    無線通信（ＲＦ）部
【図１（ａ）】
0005639198.tif 000011
【図１（ｂ）】
0005639198.tif 000012
【図２（ａ）】
0005639198.tif 000013
【図２（ｂ）】
0005639198.tif 000014
【図３】
0005639198.tif 000015
【図４】
0005639198.tif 000016
【図５】
0005639198.tif 000017
【図６】
0005639198.tif 000018
【図７（ａ）】
0005639198.tif 000019
【図７（Ｂ）】
0005639198.tif 000020
【図８】
0005639198.tif 000021
【図９】
0005639198.tif 000022
【図１０】
0005639198.tif 000023
【図１１】
0005639198.tif 000024